(57)【特許請求の範囲】
【請求項１】
食器を自動または手で洗浄するための組成物への、カチオン性単位Ａおよび他の単位Ｂを含む共重合体の使用であって、
カチオン性単位ＡはＮ，Ｎ−ジメチルジアリルアンモニウムクロリド（ＤＡＤＭＡＣ）に由来し、および
他の単位Ｂはビニルピロリドンに由来し、
共重合体は、単位Ａを１から２５ｍｏｌ％、および単位Ｂを７５から９９ｍｏｌ％含むことを特徴とする、使用。
【請求項２】
共重合体は直鎖のランダム共重合体であることを特徴とする、請求項１に記載の使用。
【請求項３】
共重合体は、
単位Ａを３から１３ｍｏｌ％、および
単位Ｂを８７から９７ｍｏｌ％、
含むことを特徴とする、請求項１または２に記載の使用。
【請求項４】
単位Ａ対単位Ｂのモル比は５／９５から１５／８５の間である、請求項１に記載の使用。
【請求項５】
共重合体は、さらに以下：
親水性もしくは疎水性の非イオン性単位ＣＮ、および／または
アニオン性もしくは潜在的アニオン性単位ＣＡ、および／または
単位Ａとは異なるカチオン性もしくは潜在的カチオン性単位ＣＣ、および／または
双性イオン単位ＣＺ、
を含むことを特徴とする、請求項１から４のいずれか一項に記載の使用。
【請求項６】
共重合体は双性イオン単位を１ｍｏｌ％未満含み、および
共重合体はアニオン性または潜在的アニオン性単位を１ｍｏｌ％未満含むことを特徴とする、請求項５に記載の使用。
【請求項７】
カチオン性単位Ａおよび他の単位Ｂを含む共重合体であって、
カチオン性単位ＡはＮ，Ｎ−ジメチルジアリルアンモニウムクロリド（ＤＡＤＭＡＣ）に由来し、および
他の単位Ｂはビニルピロリドンに由来し、
単位Ａを１から２５ｍｏｌ％、および単位Ｂを７５から９９ｍｏｌ％含むことを特徴とする共重合体と、
少なくとも１種の界面活性剤とを含むことを特徴とする、食器を自動または手で洗浄するための組成物。
【請求項８】
水、アルコール、または水／アルコール混合物を含むことを特徴とする、請求項７に記載の組成物。
【請求項９】
共重合体を、水切れをゆっくりにする、および／または乾燥を速くするおよび／または跡を残さずに乾燥することを促進する作用剤として用いることを特徴とする、請求項１から６のいずれか一項に記載の使用。
【請求項１０】
請求項７または８に定義されるとおりの組成物の表面への塗布段階を含み、前記組成物は必要に応じて予め水で希釈される、食器を自動または手で洗浄する方法。
【発明の詳細な説明】
【技術分野】
【０００１】
本発明の目的物は、表面、詳細には硬質表面の処理用および／または修飾用組成物である。この組成物は、カチオン性単位とビニルラクタム由来単位とを含む合成共重合体を含む。
【０００２】
本発明の目的物は、詳細には、繊維製品タイプの表面または工業、家庭、もしくは共用硬質表面の表面、詳細には焼き物、タイル、窓、金属、メラミン、フォーマイカ、またはプラスチックタイプの表面の処理を目的とする、詳細には乾燥性の改善および／または汚染物質に関して持続的沈着防止性および／または付着防止性をこうした表面に付与することを目的とする、洗浄またはすすぎ組成物である。さらに、この組成物は、こうした表面に帯電防止、グロス耐性、または滑り耐性を与えることができる。
【０００３】
本発明の目的物は、より詳細には、表面の処理を目的とする洗浄またはすすぎ組成物であり、この組成物は、乾燥性の改善および／または汚染物質に関して持続的親水性、沈着防止性および／または付着防止性を表面に付与することにより、跡、詳細には：
前記表面上に溜まった水滴の乾燥による跡（例えば、無機塩の沈着）
周囲の空気中に存在する（高層建築の洗浄の場合）、または接触により沈着した（床やトイレなどの洗浄の場合）無機または有機粒子の付着による跡
脂肪有機化合物（調理油）の飛散による沈着による跡
石鹸およびこの金属塩の沈着による跡
植物由来の親水コロイドまたは多糖類型化合物の沈着による跡
がその後に残るのを防ぐことができる。
【背景技術】
【０００４】
市販の洗浄配合物は、工業、家庭、または共用硬質表面を効率良く洗浄することを可能にする。これらは、通常、界面活性剤、詳細には、非イオン性とアニオン性または非イオン性とカチオン性の界面活性剤と、溶媒と、乾燥を促進するためのアルコールと、必要に応じて金属イオン封鎖剤と、およびｐＨ調整用の塩基または酸との水溶液で構成される。こうした洗浄配合物によくある欠点は、その後硬質表面が水と接触すると、乾燥中に、跡ができてしまうことである。また、こうした洗浄配合物の大部分について、これらでの処理は、純粋に対処的にすぎず、予防的ではない。従って、工業用または家庭用洗浄剤は汚染した硬質表面を洗浄するのには効果的であるが、硬質表面の将来の汚染を予防または制限することはできず、ましてやその後の硬質表面の洗浄を促進することはできない。
【０００５】
硬質表面を処理および／または修飾するために、詳細には硬質表面を洗浄するために、合成重合体含有組成物を用いることが既知である。
【０００６】
そこで、直鎖の重合体または共重合体、例えば、カチオン性単量体、アクリル酸、および必要に応じて他の単量体（アクリルアミドなど）に由来する共重合体を用いて硬質表面を親水性にすることが提案されてきた。このような出願およびこのような組成物は、詳細にはＥＰ−Ａ−１１９６５２７、ＥＰ−Ａ−１１９６５２８、およびＥＰ−Ａ−１１９６５２３に記載される。
【０００７】
多くの洗浄操作の間、水または水性組成物が洗浄する予定の品目に塗布され、必要に応じてすすぎが行われ、それから乾燥させる。これは、例えば、食器を手で洗う、または食器洗浄機で食器を自動的に洗う間の場合である。乾燥相は、ある長さの時間を要する可能性があり、および／または水溶性もしくは水分散性物質の跡（例えば、水に含まれる無機分の跡）および／または洗浄する予定の品目に由来する不純物（一般にはグリース）の跡を残す可能性がある。
【０００８】
硬質表面洗浄用組成物のあるもの、詳細には、タイル製表面洗浄用組成物、または便器表面洗浄用組成物に、ポリ（ビニルピロリドン）（ＰＶＰ）を添加することが既知である。こうしたセラミック表面では、ＰＶＰは乾燥を目立って速くすることができる。組成物が徐々に表面から消えて行くのを観測することができ、組成物の境界線が組成物ごと波が引いて行くように動くのが観測できる。「進行性水切れ（ｐｒｏｇｒｅｓｓｉｖｅ  ｄｅｗｅｔｔｉｎｇ）」という用語がよく用いられる。進行性水切れは、蒸発ではなく流れによる水の排出に関係する。進行性水切れは、組成物の効果に気づくおよび／または効果的に乾燥することに気づく消費者に歓迎される。ＰＶＰ含有組成物の塗布に続いて達成される乾燥は実際に速い。流れによる排出も跡を制限することを可能にする。
【０００９】
しかしながら、ＰＶＰは応用分野が限られている。ＰＶＰは、ある組成物、詳細には食器洗い用組成物に配合することはできない、またはＰＶＰは、配合が難しく、非常に狭い配合幅でしか配合できない。この理由は、食器洗い用組成物（通常、界面活性剤の電荷を相当有する。）に、ＰＶＰがあまり分散しない、および／または低い溶解性を有するためである。ＰＶＰは、特に、組成物の透明性に有害となり得るが、透明性は消費者に望まれる品質である。
【先行技術文献】
【特許文献】
【００１０】
【特許文献１】欧州特許出願公開第１１９６５２７号明細書
【特許文献２】欧州特許出願公開第１１９６５２８号明細書
【特許文献３】欧州特許出願公開第１１９６５２３号明細書
【発明の概要】
【発明が解決しようとする課題】
【００１１】
特に、食器洗い用組成物の塗布に続く乾燥の品質は、改善が必要である。乾燥性の改善を示す、表面、詳細には硬質表面の処理用および／または修飾用組成物、詳細には食器洗い用組成物に対する要求が存在する。このような改善に寄与することができ、表面の処理用および／または修飾用組成物に容易に配合できる化合物に対する要求が存在する。
【００１２】
詳細にはある機能についてより効果的な組成物、および／または新規性質を示す組成物、および／または高価ではない組成物、および／または活性物質の含有量が少ない組成物を提供する目的で、一般に、表面の処理用および／または修飾用新規組成物および／または合成重合体の新規利用に対する要求が存在する。
【課題を解決するための手段】
【００１３】
本発明は、カチオン性単位Ａおよび他の単位Ｂを含む共重合体を含む、表面の処理用および／または修飾用組成物を提供することにより、上記の要求の少なくとも１つに応えるものであり、以下を特徴とする：
単位Ａは、少なくとも１つの第四級アンモニウム基または１つのイニウム基を含むこと、および
単位Ｂは、ビニルラクタム由来の単位である。
【００１４】
以下において、この共重合体を「本発明の共重合体」と示す。
【００１５】
本発明の共重合体は、詳細には、以下の利点を提供することができる：
前記表面に沈着できる汚染物質に関しての沈着防止性および／または付着防止性の改善、ならびに／または
乾燥の改善。
【００１６】
本発明の共重合体は、詳細には、以下の利点を、詳細には、例えば、食器洗い用組成物に提供することができる：
組成物の配合の容易さ、
多数の組成物への適応性および／または順応性、
組成物の透明性の保持、
進行性水切れ、好ましくは認知可能に十分なほどおよび／または跡を防ぐのに十分なほど遅い、
乾燥の促進、
乾燥で残る跡が存在しないまたは減る、
消費者、詳細には観測者により認知可能な乾燥、
こうした利点の少なくとも２つの組合せ。
【００１７】
こうした利点は、透明な品目、詳細には食器で透明な品目、特にガラス製またはクリスタル製のものの洗浄で比較すると特に有利である。こうした利点、および／またはこうした利点の認知は、詳細には、共重合体に関連してまたは単に組成物に関連して、製品に関連する任意の伝達手段、例えば、ラベルにより、広告により、消費者サービス部を介して、またはインターネットサイトを介して、有用に伝達することができる。
【００１８】
本発明の共重合体は、乾燥の改善および／または前記表面に沈着できる汚染物質に関しての沈着防止性および／または付着防止性を前記表面に付与するのに有効な量で、前記組成物に好ましく用いられるか存在する。組成物は、詳細には、ゆっくりとした水切れおよび／または迅速なおよび／または跡を残さない乾燥を示すことができる。
【００１９】
本発明は、表面の処理用および／または修飾用組成物における共重合体の使用にも関する。共重合体は、詳細にはゆっくりとした水切れおよび／または迅速なおよび／または跡を残さない乾燥を促進する作用剤として用いることができる。
【００２０】
本発明は、本発明の共重合体を、好ましくは本発明の組成物で表面に塗布することによる、表面の処理用および／または修飾用方法にも関し、前記組成物は必要に応じて、予め水で希釈される。本発明は、このように処理および／または修飾された表面にも関する。
【図面の簡単な説明】
【００２１】
【図１】洗浄および乾燥を行ったグラスの写真を示す。
【図２】乾燥連続評価装置の略図を示す。
【発明を実施するための形態】
【００２２】
定義
本特許出願において、Ａｐｒｅｃｕｒｓｏｒ単位以外の単位について、単量体由来の単位は、前記単量体を重合することにより直接得ることができる単位を示す。従って、例えば、アクリル酸エステルまたはメタクリル酸エステル由来の単位は、例えば、それぞれアクリル酸エステルまたはメタクリル酸エステルまたは酢酸ビニルの重合とその後の加水分解により得られる式−ＣＨ２−ＣＨ（ＣＯＯＨ）−、−ＣＨ２−Ｃ（ＣＨ３）（ＣＯＯＨ）−、または−ＣＨ２−ＣＨ（ＯＨ）−の単位を含まない。アクリル酸またはメタクリル酸に由来する単位は、例えば、単量体（例えば、アクリル酸エステルまたはメタクリル酸エステル）を重合し、得られた重合体を反応させて（例えば加水分解により）式−ＣＨ２−ＣＨ（ＣＯＯＨ）−または−ＣＨ２−Ｃ（ＣＨ３）（ＣＯＯＨ）−の単位を得ることによる単位を含む。ビニルアルコールに由来する単位は、例えば、単量体（例えば、ビニルエステル）を重合し、得られた重合体を反応させて（例えば、加水分解により）式−ＣＨ２−ＣＨ（ＯＨ）−の単位を得ることによる単位を含む。ベタイン基含有単位を得る目的で、例えば、単量体Ａｐｒｅｃｕｒｓｏｒを重合し、続いて、重合後反応を行うことにより単量体Ａに由来する単位を得ることできる。この場合の単位Ａは、ベタイン基を含まない単量体Ａｐｒｅｃｕｒｓｏｒに由来する単位として見なされない。
【００２３】
本特許出願において、特に記載しないかぎり、モル質量で記載されるものは、完全重量平均モル質量に関し、ｇ／ｍｏｌで表される。モル質量は、重合体の組成に従って、水性溶離液または有機溶離液（例えば、ホルムアミド）を用いて、光散乱（水性溶離液用ＤＬＳまたはＭＡＬＬＳ）により、水性ゲル浸透クロマトグラフィー（ＧＰＣ）で求めることができる。
【００２４】
本特許出願において、特に記載しないかぎり、量および性質は、活性材料として（希釈または分散材料と対照して）重量で示される。
【００２５】
共重合体
本発明の共重合体は、カチオン性単位Ａおよび他の単位Ｂを含む。単位Ａは、少なくとも１つの第四級アンモニウム基または１つのイニウム基を含む。単位Ｂは、ビニルラクタム由来の単位である。単位Ａは、代表的には、エチレン不飽和結合を含む単量体Ａに由来する。
【００２６】
共重合体は、好ましくは直鎖のランダム共重合体である。窒素原子により運ばれる正電荷は、代表的には、共重合体を形成する巨大分子鎖の側基に局在することが留意される。巨大分子鎖は、代表的には、カチオン性側基とラクタム側基を持つポリエチレン鎖である（単量体の不飽和化に由来する。）。
【００２７】
カチオン性単位Ａ
単位Ａはカチオン性単位である。これらは、第四級アンモニウム基またはイニウム基を含むカチオン性基を含む。本特許出願において、カチオン性基は、プロトンの添加によりカチオン性になることができる弱塩基型の潜在的カチオン性基（第一級または第二級アミンなど、またはアミド基などさえも）を含まない。カチオン性基は、詳細には、以下の種の基が可能である：
第四級アンモニウム（式−Ｎ＋Ｒ３のもの、式中、Ｒは、同一であるか異なっていて、水素原子以外の基、例えば、置換されていてもよい炭化水素基で、適切ならば複素原子が途中にあるもの、例えば、直鎖または分岐鎖Ｃ１−Ｃ２２アルキル基、例えば、メチル基である。）、または
イニウム（式＝Ｎ＋Ｒ２のもの、式中、Ｒは、同一であるか異なっていて、水素原子以外の基であり、このうちの１つは、適切ならば、二重結合に結合した環の一部を形成し、前記環は、適切ならば、芳香環であり、Ｒ基のうち少なくとも１つは、例えば、置換されていてもよい炭化水素基で、適切ならば複素原子が途中にあるもの、例えば、直鎖または分岐鎖Ｃ１−Ｃ２２アルキル基、例えば、メチル基であることが可能である。）。
【００２８】
第四級アンモニウム型基の場合、関係する基は、詳細には、トリメチルアンモニウム基であってもよい。
【００２９】
イニウム基の場合、関係する基は、詳細には、ピリジニウム基、好ましくはアルキルピリジニウム基、好ましくはメチルピリジニウム基であってもよい。
【００３０】
カチオン性基は対イオン（アニオン）と組み合わせることができる。対イオンは、詳細には、塩化物、臭化物、ヨウ化物、硫酸メチル、または硫酸エチルイオンであり得る。部分Ａのアニオン性基または潜在的なアニオン性基はカチオン性基と組み合わさって対イオンの全てまたは一部を構成し得ることが観測されている。カチオン性単位は、カチオン性基とアニオン性基または潜在的なアニオン性基との両方を含む双性イオン単位（その結果これらは結局電荷がゼロになる。）ではないと言える。即ち、上記のＲ基はアニオン性置換基を含まない。
【００３１】
単位Ａが由来することができる単量体Ａの例として以下を挙げることができる：
トリメチルアンモニオプロピルメタクリラートクロリド、
トリメチルアンモニオエチル（アクリルアミドまたはメタクリルアミド）クロリドまたはブロミド、
トリメチルアンモニオブチル（アクリルアミドまたはメタクリルアミド）メチルスルファート、
トリメチルアンモニオプロピルメタクリルアミドメチルスルファート（ＭＡＰＴＡ  ＭｅＳ）、
（３−メタクリルアミドプロピル）トリメチルアンモニウムクロリド（ＭＡＰＴＡＣ）、
（３−アクリルアミドプロピル）トリメチルアンモニウムクロリド（ＡＰＴＡＣ）、
メタクリロイルオキシエチルトリメチルアンモニウムクロリドまたはメチルスルファート、
アクリロイルオキシエチルトリメチルアンモニウム塩（ＡＤＡＭＱＵＡＴ）、
Ｎ，Ｎ−ジメチルジアリルアンモニウムクロリド（ＤＡＤＭＡＣ）；
ジメチルアミノプロピルメタクリルアミド、Ｎ−（３−クロロ−２−ヒドロキシプロピル）トリメチルアンモニウムクロリド（ＤＩＱＵＡＴ）；
以下の式の単量体：
【００３２】
【化１】
0005689317.tif 000002
式中、Ｘ−は、アニオン、好ましくはクロリドまたはメチルスルファートである、
１−エチル−２−ビニルピリジニウムまたは１−エチル−４−ビニルピリジニウムブロミド、クロリド、またはメチルスルファート；
これらの混合物または組合せ。
【００３３】
単位Ａは、詳細には、他の単量体との混合物として単量体Ａを含む単量体の共重合により得ることができる。単位Ａは、単位Ａｐｒｅｃｕｒｓoｒを形成する目的で、単位Ａの前駆単量体を含む単量体（他の単量体との混合物として）を重合して単位Ａの前駆単位を得て、単位Ａを得る目的で、続いて前駆単位を化学修飾することにより得ることもできる。このような修飾は既知である。前駆単位は、例えば、硫酸ジメチルまたは第四級ハロアルキルアンモニウムまたは第四級ハロアルキルヒドロキシアルキルアンモニウムを用いて、例えば、四級化することができる。
【００３４】
単位Ｂ
単位Ｂは、ビニルラクタム（ビニルカプロラクタムまたはビニルピロリドンなど）に由来する単位である。このような単量体は既知である。好ましくはＮ−ビニルピロリドンが関係することが記載される。
【００３５】
共重合体の特定の組成
本発明の共重合体は、上記の単位Ａおよび単位Ｂと異なる任意の単位Ｃｏｔｈｅｒを含むことができる。単位Ａおよび単位Ｂは共重合体の単位の１から１００ｍｏｌ％、好ましくは５０から１００ｍｏｌ％、および好ましくは７５から１００ｍｏｌ％を占めることができる。
【００３６】
特定の実施形態に従って、共重合体は以下を含む：
単位Ａを１から２５ｍｏｌ％、好ましくは３から１３ｍｏｌ％、および
単位Ｂを７５から９９ｍｏｌ％、好ましくは８７から９７ｍｏｌ％。
【００３７】
特定の実施形態に従って、単位Ａ対単位Ｂのモル比は、１／９９から２５／７５の間、好ましくは５／９５から１５／８５の間である。
【００３８】
共重合体は、詳細には、単位Ｃｏｔｈｅｒとして以下を含むことができる：
親水性または疎水性の非イオン性単位ＣＮ、および／または
アニオン性または潜在的アニオン性単位ＣＡ、および／または
単位Ａと異なるカチオン性または潜在的カチオン性単位ＣＣ、および／または
双性イオン単位ＣＺ。
【００３９】
有利な形に従って、共重合体はそうした単位を合計で２５ｍｏｌ％より多くは含まない。好ましくは、共重合体はこれらを全く含まない。有利な形に従って、共重合体は単位ＣＮを合計で２５ｍｏｌ％より多くは含まない。好ましくは、共重合体はこれらを全く含まない。有利な形に従って、共重合体は単位ＣＡを合計で２５ｍｏｌ％より多くは含まない。好ましくは、共重合体はこれらを全く含有しない。有利な形に従って、共重合体は単位ＣＣを合計で２５ｍｏｌ％より多くは含まない。好ましくは、共重合体はこれらを全く含まない。有利な形に従って、共重合体は単位ＣＺを合計で２５ｍｏｌ％より多くは含まない。好ましくは、共重合体はこれらを全く含まない。
【００４０】
特定の実施形態に従って、共重合体は以下の単位を実質的に欠いている（共重合体はこれらを１ｍｏｌ％未満含み、好ましくは０．５ｍｏｌ％未満含み、好ましくは全く含まない。）：
単位ＣＣ、および／または
以下から選択される単位ＣＮ：
以下の式のアルコキシル化単位：
ＣＨ２−ＣＨＲ５［−Ｘ２−（ＣＨ２−ＣＨ２−Ｏ）ｎ−Ｒ７］−
式中：
Ｒ６は、水素原子またはメチル基であり、
Ｘ２は、式−ＣＯ−Ｏ−、−ＣＯ−ＮＨ−、または−Ｃ６Ｈ４−ＣＨ２−の基であり、
Ｎは、１以上の整数または平均数であり、
Ｒ７は、水素原子、アルキル基、またはトリスチリルフェニル基であり、および／または
以下の式のヒドロキシル化単位：
ＣＨ２−ＣＨＲ６［−Ｘ２−Ｒ８］−
式中：
Ｒ６は、水素原子またはメチル基であり、
Ｘ２は、式−ＣＯ−Ｏ−、−ＣＯ−ＮＨ−、または−Ｃ６Ｈ４−ＣＨ２−の基であり、
Ｒ８は、少なくとも２つの−ＯＨ基を、好ましくは２つの連続した炭素原子上に含む、少なくとも２つの炭素原子を有する炭化水素基であり、および／または
ヒドロキシアルキルアクリラートまたはメタクリラート単位、
疎水性単位ＣＮ、および／または
スルホベタイン基を含む単位ＣＺ、好ましくは、全て双性イオンの単位ＣＺ。
【００４１】
従って、特定の実施形態に従って：
共重合体は、実質的に双性イオン単位を欠いており、および
共重合体は、実質的に、アニオン性または潜在的アニオン性単位を欠いている。
【００４２】
特に有用な実施形態に従って、単位ＡはＮ，Ｎ−ジメチルジアリルアンモニウムクロリド（ＤＡＤＭＡＣ）に由来し、単位Ｂはビニルピロリドンに由来する。以下の共重合体は、特に有用であることが判明している：
以下を含む共重合体：
Ｎ，Ｎ−ジメチルジアリルアンモニウムクロリド（ＤＡＤＭＡＣ）に由来する単位Ａを１から２５ｍｏｌ％、好ましくは３から１３ｍｏｌ％、および
ビニルピロリドン由来の単位Ｂを７５から９９ｍｏｌ％、好ましくは８７から９７ｍｏｌ％。
【００４３】
共重合体は任意の実用的形、例えば、乾燥固形で、またはベクター化した形で、例えば、溶液、または乳濁液、または懸濁液の形で、詳細には、水溶液の形で提供することができることが言及される。ベクター化した形、例えば、水溶液は、詳細には、共重合体を５から５０重量％、例えば、１０から３０重量％含むことができる。水溶液は、詳細には、水相調製方法、詳細には、ラジカル重合方法により得られる溶液であり得る。
【００４４】
本発明の重合体は、詳細には、２００００ｇ／ｍｏｌから１００００００ｇ／ｍｏｌ、好ましくは１０００００ｇ／ｍｏｌから４０００００ｇ／ｍｏｌの範囲のモル質量を示すことができる。
【００４５】
共重合体の調製方法
本発明の共重合体は、任意の適した方法で調製することができる。この方法は、一般に、ラジカル重合（共重合）の段階を含み、ここで単量体とフリーラジカル源を一緒にする。
【００４６】
１つの実施形態に従って、単位Ｂと単量体Ａｐｒｅｃｕｒｓｏｒ由来の単位を含む共重合体を得る目的で、単量体Ａｐｒｅｃｕｒｓｏｒとビニルラクタムの混合物を、フリーラジカル源の存在下、重合（共重合）し、それから、単位Ａを得る目的で、これらの単位を化学修飾する（重合後修飾）。修飾は、詳細には、第三級アミン基含有単量体Ａｐｒｅｃｕｒｓｏｒ由来単位の第四級化が可能である。
【００４７】
好適な実施形態に従って、この方法は以下を一緒にすることによる共重合の段階を含む：
エチル不飽和基およびカチオン性基を含む単量体Ａ（またはＡｐｒｅｃｕｒｓｏｒ）、
ビニルラクタム、および
フリーラジカル源。
【００４８】
ラジカル重合方法は、当業者に既知である。詳細には、フリーラジカル源、フリーラジカルの量、様々な化合物（単量体、フリーラジカル源、など）を導入していく工程、重合温度、および他の操作パラメーターまたは条件が、既知の適したやり方で変更され得る。幾つかの詳細または指示を以下に示す。
【００４９】
方法は、バッチ型方法、セミバッチ型方法、または連続型方法でも可能である。セミバッチ型方法は、代表的に、単量体（共単量体）を少なくとも１種、好ましくは単量体（共単量体）を全て、反応器に徐々に導入する工程を含み、このとき反応生成物の連続分離は行わない。重合体を含む反応生成物を、反応終了時に全てまとめて回収する。
【００５０】
有利なことに重合を水溶液で行うことができることが留意される。
【００５１】
任意のフリーラジカル源を用いることができる。詳細には、例えば、温度を上げることにより、適した単量体（スチレンなど）を用いて、自発的にフリーラジカルを発生させることができる。照射、詳細には好ましくは適したＵＶ感受性開始剤の存在下、ＵＶ照射により、フリーラジカルを発生させることができる。ラジカル型またはレドックス型の開始剤または開始剤系を用いることができる。フリーラジカル源は水溶性であってもなくてもよい。水溶性開始剤または少なくとも部分的に水溶性開始剤（例えば、水に少なくとも５０重量％溶解）を用いてもよい。
【００５２】
一般に、フリーラジカルの量が多いほど、重合の開始が容易になる（重合が促進される。）が、得られる共重合体の分子量が小さくなる。
【００５３】
詳細には、以下の開始剤を用いることができる：
過酸化水素（ｔｅｒｔ−ブチルヒドロペルオキシド、クメンヒドロペルオキシド、過酢酸ｔ−ブチル、過安息香酸ｔ−ブチル、過オクチル酸ｔ−ブチル、過ネオデカン酸ｔ−ブチル、過イソ酪酸ｔ−ブチル、過酸化ラウロイル、過ピバル酸ｔ−アミル、過ピバル酸ｔ−ブチル、過酸化ジクミル、過酸化ベンゾイル、過硫酸カリウム、または過硫酸アンモニウムなど）、
アゾ化合物（２，２’−アゾビスイソブチロニトリル、２，２’−アゾビス（２−ブタンニトリル）、４，４’−アゾビス（４−ペンタン酸）、１，１’−アゾビス（シクロヘキサンカルボニトリル）、２−（ｔ−ブチルアゾ）−２−シアノプロパン、２，２’−アゾビス｛２−メチル−Ｎ−［１，１−ビス（ヒドロキシメチル）−２−ヒドロキシエチル］プロピオンアミド｝、２，２’−アゾビス［２−メチル−Ｎ−（ヒドロキシエチル）プロピオンアミド］、２，２’−アゾビス（Ｎ，Ｎ’−ジメチレンイソブチルアミジン）二塩酸塩、２，２’−アゾビス（２−アミジノプロパン）二塩酸塩、２，２’−アゾビス（Ｎ，Ｎ’−ジメチレンイソブチルアミド）、２，２’−アゾビス｛２−メチル−Ｎ−［１，１−ビス（ヒドロキシメチル）−２−ヒドロキシエチル］プロピオンアミド｝、２，２’アゾビス｛２−メチル−Ｎ−［１，１−ビス（ヒドロキシメチル）エチル］プロピオンアミド｝、２，２’−アゾビス［２−メチル−Ｎ−（２−ヒドロキシエチル）プロピオンアミド］、または２，２’−アゾビス（イソブチルアミド）二水和物など）、
以下の組合せを含むレドックス系：
過酸化水素、過酸化アルキル、ペルエステル、過炭酸塩などと、任意の鉄塩、酸化チタン（ｔｉｔａｎｏｕｓ）塩、ホルムアルデヒドスルホキシル酸亜鉛またはホルムアルデヒドスルホキシル酸ナトリウムとの混合物と、還元糖、
重硫酸アルカリ金属塩（二亜硫酸二ナトリウムなど）と組み合わせた、過硫酸、過ホウ酸、または過塩素酸のアルカリ金属またはアンモニウム塩と、還元糖、ならびに
アリールホスフィン酸（ベンゼンホスホン酸など）および同様な性質の他のものと組み合わせたアルカリ金属過硫酸塩と、還元糖。
【００５４】
重合温度は、詳細には、２５℃から９５℃の間が可能である。温度は、フリーラジカル源に依存するものであり得る。フリーラジカル源がＵＶ開始剤型でない場合は、好ましくは５０℃から９５℃の間、より好ましくは６０℃から８０℃の間で操作することが好ましい。一般に、温度が高いほど、重合の開始がより容易になる（重合が促進される。）が、得られる共重合体の分子量が小さくなる。
【００５５】
組成物および使用
本発明の組成物は、様々な形で提供することができる。詳細には、本発明の組成物は液体の形で提供することができる。その後、液体塗布ベクター、例えば、水、アルコール、または水／アルコール混合物を含むことができる。
【００５６】
本発明の組成物は、ほとんどの場合、少なくとも１種の界面活性剤を含む。
【００５７】
１つの実施形態に従って、表面は繊維製品であり、処理は、好ましくは洗濯物を洗濯またはすすぐ処理である。処理は、代表的には、繊維が一つに寄せ集められて仕上がった繊維物品に適用される処理であると言及される。即ち、この処理は、代表的には、繊維物品の製造中に行われる処理ではない。処理は、代表的には、消費者により初めて（少なくとも）使用された後の手入れの段階（洗濯、すすぎ、および／または柔軟化）である。洗濯物は、詳細には、綿製、または綿および／またはウールを主原料とする物品を含むことができる。洗濯物は、代替的にまたは補助的に、合成繊維製、詳細には、ポリエステル製、ポリアミド製、またはアクリル製物品を含むことができる。
【００５８】
組成物は、詳細には、繊維製品用繊維でできた物品の洗浄および／またはすすぎおよび／または柔軟化用組成物、繊維製品用繊維でできた物品の部分付け前処理（ｐｒｅｓｐｏｔｔｉｎｇ）用組成物、繊維製品用繊維でできた物品の回転式乾燥機での乾燥用組成物、ならびに繊維製品用繊維でできた物品のアイロンがけ促進用組成物が可能である。
【００５９】
組成物および使用条件（または処理条件）は、多くの形を取り得る。
【００６０】
前記組成物は以下の形で提供することができる：
＊水で希釈した後、処理する予定の物品と接触させる、固体（粉末、顆粒、錠剤など）または濃縮水分散液または水溶液の形、
＊水で希釈する前に、乾燥した処理する予定の物品に予め沈着させる、濃縮水分散液または水溶液の形、
＊乾燥した処理する予定の物品に希釈せず直接沈着させる水分散液もしくは水溶液の形、または、乾燥した処理する予定の物品に直接塗り付ける共重合体含有固体支持体（棒状）の形、
＊湿潤状態で、処理する予定の物品に直接接触させる共重合体含有不溶性固体支持体の形。
【００６１】
従って、本発明の組成物は以下のものが可能である：
希釈により洗浄剤浴を直接形成することができる固体または液体の洗浄配合物、
希釈によりすすぎおよび／または柔軟化浴を直接形成することができる液体のすすぎ用および／または柔軟化配合物、
回転式乾燥機で濡れた物品と接触させることを意図した、共重合体含有固体材料、詳細には繊維製品材料（その後前記固体材料は、「乾燥添加物」と称する。）、
水性アイロンがけ配合物、
洗浄剤配合物（これは共重合体を含んでも含まなくてもよい。）を用いた洗浄操作の前に、乾燥した物品に沈着させることを意図した、部分付け前処理剤（ｐｒｅｓｐｏｔｔｅｒ）、（その後前記添加物は「部分洗い剤」と称する。）。
【００６２】
本発明の組成物は、物品（洗濯物）、詳細には綿製、特には綿を少なくとも３５％含む物品の手入れに特に適している。本発明の組成物は、着色物品の手入れに非常に特に適している。
【００６３】
本発明に従って繊維製品物品の処理用組成物に存在する本発明の共重合体の量は、乾燥基準で、前記組成物の重量の０．０５から１０％の範囲が可能である。
【００６４】
他の構成要素が繊維製品の処理用組成物に存在することができる。前記組成物は、繊維製品用繊維でできた物品用の、少なくとも１種の界面活性剤および／または１種の洗浄用および／またはすすぎ用および／または柔軟化添加物を含むことができる。これらの構成要素の性質は、前記組成物に望まれる用途に依存する。
【００６５】
従って、組成物が繊維製品用繊維でできた物品を洗浄する洗浄剤配合物である場合、これは通常以下を含む：
少なくとも１種の天然および／または合成界面活性剤、
少なくとも１種の洗浄性補助剤（ビルダー）、
必要に応じて酸化剤または酸化系、
および一連の特定の添加物。
【００６６】
繊維製品処理用配合物は、詳細には、この洗浄剤配合物に関して約１から４０重量％に相当する量で界面活性剤を含むことができる。
【００６７】
別の実施形態に従って、表面は硬質表面であり、処理は好ましくは硬質表面を洗浄する処理である。硬質表面およびこれらの処理および／または修飾は、本発明において、食器およびこの洗浄および／またはすすぎを含む。処理は、食器を自動的にまたは手で洗浄するものが可能である。
【００６８】
本発明による組成物は、詳細には、処理する予定の硬質表面に、汚染物質に関して沈着防止性および／または付着防止性を、および／または乾燥の改善を付与することができる。本発明による組成物は、例えば、以下のものが可能である：
家庭用洗浄またはすすぎ組成物；この組成物は汎用であっても、以下を洗浄またはすすぐための組成物など特化したものであってもよい：
浴室用；前記組成物は、詳細には、浴槽周りおよび浴室流し上の石鹸塩の沈着を防ぎ、こうした表面でのカルシウム結晶の成長および／または沈着を防ぎ、その後の石鹸汚染の出現を遅らせる、
台所用；前記組成物は、時間が経つと架橋することができる不飽和脂肪汚染物質で調理台が汚染された場合に調理台の洗浄を改善することができ、グリース性汚染をこすらずに水で落とせる、
床（リノリウム製、タイル製、またはセメント製）用；前記組成物はほこりまたは粘土石灰質（ａｒｇｉｌｏｃａｌｃａｒｅｏｕｓ）型の汚染物質（土、砂、泥など）の除去を改善できる；床の汚れはブラシでこすらなくても、簡単に拭くだけで労せず綺麗にすることができる；さらに、前記組成物は滑り耐性を付与する、
トイレ用；前記組成物は表面に排泄物の痕跡が付着するのを防ぐことができる；水をフラッシュで流すだけで、こうした痕跡を除去するのに十分である；ブラシの使用は必要ない、
窓または鏡用；前記組成物は、表面に無機または有機粒子汚染物質が沈着するのを防ぐことができる、
手洗いまたは自動装置を用いた食器用；前記組成物は乾燥の改善を観測することができる。
【００６９】
工業または公共利用の洗浄用またはすすぎ用組成物；この組成物は汎用であっても、以下を洗浄するための組成物など特化したものであってもよい：
反応器、鋼鉄製ブレード、流し、またはタンク、
食器、
建築物の外壁または内壁、
アパートをはじめとする建築物の窓、
瓶。
【００７０】
本発明による組成物は任意の形で提供することができ、複数の方法で用いることができる。従って、本発明による組成物は、以下の形が可能である：
詳細には
洗浄またはすすぐ予定の表面に直接、または
処理する予定の表面に適用する前にスポンジまたは別の支持体（例えば、セルロース製の織物または不織物品）に、
噴射するなどにより沈着させる予定のゲル化またはゲル化していない液体の形、
処理する予定の表面に適用する前に水（必要に応じて別の溶媒を加えて）で希釈する予定のゲル化またはゲル化していない液体の形、
水溶性バッグに入ったゲル化またはゲル化していない液体の形、
泡状物の形、
エーロゾルの形、
詳細には織物または不織物品（ワイプ）でできた吸収支持体に吸収させた液体の形、
必要に応じて水溶性バッグに入った固体、詳細には錠剤の形、前記組成物は、錠剤全体または錠剤の一部として存在することが可能である。
【００７１】
本発明の満足な実施のため、本発明の共重合体は、本発明の目的物を形成する組成物中、表面を修飾および／または処理するのに有効な量で存在する。この量は、例えば、前記表面に、前記表面に沈着できる汚染物質に関して沈着防止性および／もしくは付着防止性ならびに／または乾燥の改善を付与するのに有効な量が可能である。
【００７２】
本発明の目的物を形成する前記組成物は、この用途に応じて、本発明の共重合体をこの重量の０．００１から１０％含むことができる。
【００７３】
本発明による組成物のｐＨまたは組成物の使用時のｐＨは、用途および処理する予定の表面に依存して、１から１４、実際には０．５から１４にも変化することができる。極端なｐＨ値は、工業用または公共用洗浄タイプの用途には標準的である。家庭用用途の分野では、ｐＨ値は、その代わりに、用途に応じて、１から１３の範囲である。
【００７４】
前記組成物は、任意のすすぎ後および乾燥後、表面に沈着するポリベタイン（Ｂ）の量が処理した表面の０．０００１から１０ｍｇ／ｍ２、好ましくは０．００１から５ｍｇ／ｍ２であるような量で、硬質表面の洗浄またはすすぎに用いることができる。
【００７５】
本発明による組成物は、繊維製品表面（洗濯する予定の洗濯物など）の処理の流れで用いられる場合、詳細には洗浄剤浴で、詳細には繊維製品の色を保護できるおよび／または１つの物品から別の物品へ色移りするのを防ぐことができる。従って、本発明の共重合体を洗濯物の色保護剤および／または色移り防止剤として用いることができる。
【００７６】
本発明による洗浄またはすすぎ組成物は、好ましくは、さらに、少なくとも１種の界面活性剤を含む。界面活性剤は、非イオン性、アニオン性、両性、双性イオン性、またはカチオン性が可能である。界面活性剤は、界面活性剤の混合物または組合せも可能である。
【００７７】
アニオン界面活性剤の例として以下を挙げることができる：
式Ｒ−ＣＨ（ＳＯ３Ｍ）−ＣＯＯＲ’のアルキルエステルスルフォナート、式中ＲはＣ８−Ｃ２０、好ましくはＣ１０−Ｃ１６のアルキルラジカルを表し、Ｒ’はＣ１−Ｃ６、好ましくはＣ１−Ｃ３のアルキルラジカルを表し、およびＭはアルカリ金属（ナトリウム、カリウム、またはリチウム）カチオン、置換もしくは無置換のアンモニウム（メチル−、ジメチル−、トリメチル−、またはテトラメチルアンモニウム、ジメチルピペリジニウムなど）カチオン、またはアルカノールアミン（モノエタノールアミン、ジエタノールアミン、トリエタノールアミンなど）由来のカチオンを表し、特に例として、ＲラジカルがＣ１４−Ｃ１６ラジカルであるメチルエステルスルフォナートを挙げることができる、
式ＲＯＳＯ３Ｍのアルキルスルファート、式中ＲはＣ５−Ｃ２４、好ましくはＣ１０−Ｃ１８のアルキルまたはヒドロキシアルキルラジカル（コプラおよび獣脂由来の脂肪酸の塩など）を表し、Ｍは水素原子または上記と同様に定義されるカチオン、ならびにこれらのエトキシレン化（ｅｔｈｏｘｙｌｅｎａｔｅｄ）（ＥＯ）および／またはプロポキシレン化（ｐｒｏｐｏｘｙｌｅｎａｔｅｄ）（ＰＯ）誘導体（０．５から３０、好ましくは０．５から１０のＥＯおよび／またはＰＯ単位を平均で有する。）を表す、
式ＲＣＯＮＨＲ’ＯＳＯ３Ｍのアルキルアミドスルファート、式中ＲはＣ２−Ｃ２２、好ましくはＣ６−Ｃ２０のアルキルラジカルを表し、ならびにＲ’はＣ２−Ｃ３アルキルラジカルを表し、Ｍは水素原子または上記と同様に定義されるカチオン、およびこれらのエトキシレン化（ＥＯ）および／またはプロポキシレン化（ＰＯ）誘導体（０．５から６０のＥＯおよび／またはＰＯ単位を平均で有する。）を表す、
飽和または不飽和のＣ８−Ｃ２４、好ましくはＣ１４−Ｃ２０脂肪酸の塩、Ｃ９−Ｃ２０アルキルベンゼンスルフォナート、第一級または第二級Ｃ８−Ｃ２２アルキルスルホナート、アルキルグリセロールスルフォナート、ＧＢ−Ａ−１０８２１７９に記載のスルホン化ポリカルボン酸、パラフィンスルフォナート、Ｎ−アシル−Ｎ−アルキルタウラート、イセチオナート、アルキルスクシナマート、アルキルスルホスクシナート、スルホスクシナートのモノエステルまたはジエステル、Ｎ−アシルサルコシナート、アルキルグリコシドスルファート、ポリエトキシカルボキシラート、モノグリセリドスルファート、および脂肪酸クロリドとヒドロキシアルキルスルフォナートとの縮合物；カチオンは、アルカリ金属（ナトリウム、カリウム、またはリチウム）、置換もしくは無置換のアンモニウム（メチル−、ジメチル−、トリメチル−、またはテトラメチルアンモニウム、ジメチルピペリジニウムなど）残基、またはアルカノールアミン（モノエタノールアミン、ジエタノールアミン、トリエタノールアミンなど）由来の残基が可能である、
アルキルホスファート、またはアルキルもしくはアルキルアリールホスファートエステル（Ｒｈｏｄａｆａｃ  ＲＡ６００、Ｒｈｏｄａｆａｃ  ＰＡ１５、またはＲｈｏｄａｆａｃ  ＰＡ２３など、Ｒｈｏｄｉａより販売）；カチオンは、アルカリ金属（ナトリウム、カリウム、またはリチウム）、置換もしくは無置換のアンモニウム（メチル−、ジメチル−、トリメチル−、またはテトラメチルアンモニウム、ジメチルピペリジニウムなど）残基、またはアルカノールアミン（モノエタノールアミン、ジエタノールアミン、トリエタノールアミンなど）由来の残基が可能である。
【００７８】
非イオン界面活性剤はＵＳ−Ａ−４２８７０８０およびＵＳ−Ａ−４４７０９２３に記載がある。詳細には、例として、アルキレンオキシド、詳細にはエチレンオキシドおよび必要に応じてプロピレンオキシドと、アルコール、ポリオール、アルキルフェノール、脂肪酸エステル、脂肪酸アミド、および脂肪酸アミンとの縮合物；アミンオキシド；糖誘導体（アルキルポリグリコシドまたは脂肪酸エステルおよび糖エステル、詳細にはスクロースモノパルミタートなど）；長鎖（炭素原子が８から２８個のもの）第三級ホスフィンオキシド；ジアルキルスルホキシド；ポリオキシエチレンとポリオキシプロピレンのブロック共重合体；ポリアルコキシル化したソルビタンエステル；ソルビタン脂肪酸エステル；ポリ（エチレンオキシド）、ならびに疎水性をもたらすように修飾された脂肪酸アミド（例えば、炭素原子を１０から１８個含む脂肪酸モノおよびジエタノールアミド）を挙げることができる。
【００７９】
特には、例として以下を挙げることができる：
２から５０個のオキシアルキレン（オキシエチレンおよび／またはオキシプロピレン）単位を含むポリオキシアルキレン化Ｃ８−Ｃ１８脂肪族カルボン酸、詳細には１２個（平均）の炭素原子または１８個（平均）の炭素原子を持つもの、
２から５０個のオキシアルキレン（オキシエチレンおよび／またはオキシプロピレン）単位を含むポリオキシアルキレン化Ｃ６−Ｃ２４脂肪族アルコール、詳細には１２個（平均）の炭素原子または１８個（平均）の炭素原子を持つもの；例としてＡｎｔａｒｏｘ  Ｂ１２ＤＦ、Ａｎｔａｒｏｘ  ＦＭ３３、Ａｎｔａｒｏｘ  ＦＭ６３、およびＡｎｔａｒｏｘ  Ｖ７４（Ｒｈｏｄｉａ）、Ｐｌｕｒａｆａｃ  ＬＦ４００およびＰｌｕｒａｆａｃ  ＬＦ２２０（ＢＡＳＦ）、Ｒｈｏｄａｓｕｒｆ  ＩＤ０６０、Ｒｈｏｄａｓｕｒｆ  ＩＤ０７０、およびＲｈｏｄａｓｕｒｆ  ＬＡ４２（Ｒｈｏｄｉａ）、ならびにＳｙｎｐｅｒｏｎｉｃ  Ａ５、Ａ７、およびＡ９（ＩＣＩ）が挙げられる、
アミンオキシド（ドデシルジ（２−ヒドロキシエチル）アミンオキシドなど）、
ホスフィンオキシド（テトラデシルジメチルホスフィンオキシドなど）。
【００８０】
両性界面活性剤として以下を挙げることができる：
ナトリウムイミノジプロピオナートまたはアルキルイミノプロピオナート（Ｍｉｒａｔａｉｎｅ  Ｈ２ＣＨＡおよびＭｉｒａｔａｉｎｅ  ＪＣ  ＨＡ（Ｒｈｏｄｉａ）など）、
アルキルアンホアセタートまたはアルキルアンホジアセタート、このアルキル基は炭素原子を６から２０個含む（Ｍｉｒａｎｏｌ  Ｃ２Ｍ  Ｃｏｎｃ  ＮＰ、（Ｒｈｏｄｉａから販売）など）、
両性アルキルポリアミン誘導体（Ａｍｐｈｉｏｎｉｃ  ＸＬ（登録商標）（Ｒｈｏｄｉａから販売）、ならびにＡｍｐｈｏｌａｃ  ７Ｔ／Ｘ（登録商標）およびＡｍｐｈｏｌａｃ  ７Ｃ／Ｘ（登録商標）（ＢｅｒｏｌＮｏｂｅｌから販売）など）。
【００８１】
双性イオン界面活性剤として、ＵＳ５１０８６６０号に記載のものを挙げることができる。
【００８２】
好適な双性イオン界面活性剤は、アルキルジメチルベタイン、アルキルアミドプロピルジメチルベタイン、アルキルジメチルスルホベタイン、またはアルキルアミドプロピルジメチルスルホベタイン（Ｍｉｒａｔａｉｎｅ  ＪＣＨＡ、Ｍｉｒａｔａｉｎｅ  Ｈ２ＣＨＡ、またはＭｉｒａｔａｉｎｅ  ＣＢＳ（Ｒｈｏｄｉａから販売）など）、またはＳｈｅｒｅｘ  Ｃｏｍｐａｎｙから商品名「Ｖａｒｉｏｎ  ＣＡＤＧ  Ｂｅｔａｉｎｅ」および「Ｖａｒｉｏｎ  ＣＡＳ  Ｓｕｌｆｏｂｅｔａｉｎｅ」で販売されている同種のもの、または脂肪酸とタンパク質加水分解物の縮合物である。
【００８３】
双性イオン界面活性剤は他にも、ＵＳ−Ａ−４２８７０８０およびＵＳ−Ａ−４５５７８５３に記載がある。
【００８４】
詳細には、カチオン界面活性剤として、以下の式の第四級アンモニウム塩を挙げることができる：
Ｒ１Ｒ２Ｒ３Ｒ４Ｎ＋Ｘ−
式中
Ｒ１、Ｒ２、およびＲ３は、同一であるか異なっていて、Ｈまたは４個未満の炭素原子、好ましくは１または２個の炭素原子を含むアルキル基を表し、このアルキル基は１つ以上のヒドロキシル官能基で置換されていてもよく、またはＲ１、Ｒ２、およびＲ３は、窒素原子Ｎ＋と一緒になって少なくとも１個の芳香族環または複素環を形成することができる、
Ｒ４は、Ｃ８−Ｃ２２、好ましくはＣ１２−Ｃ２２の、アルキルもしくはアルケニル基またはアリールもしくはベンジル基を表し、ならびに
Ｘ−は、可溶化アニオン、例えば、ハライド（例えば、クロリド、ブロミド、またはヨージド）、スルファートまたはアルキルスルファート（メチルスルファート）、カルボキシラート（アセタート、プロピオナート、またはベンゾアート）、アルキルスルホナート、またはアリールスルホナートなどである。
【００８５】
詳細には、ドデシルトリメチルアンモニウムブロミド、テトラデシルトリメチルアンモニウムブロミド、セチルトリメチルアンモニウムブロミド、ステアリルピリジニウムクロリド、Ｒｈｏｄａｑｕａｔ（登録商標）ＴＦＲおよびＲｈｏｄａｍｉｎｅ（登録商標）Ｃ１５（これらはＲｈｏｄｉａから販売）、セチルトリメチルアンモニウムクロリド（Ｄｅｈｙｑｕａｒｔ  ＡＣＡおよび／またはＡＯＲ、Ｃｏｇｎｉｓから販売）、またはココビス（２−ヒドロキシエチル）−エチルアンモニウムクロリド（Ｅｔｈｏｑｕａｄ  Ｃ１２、Ａｋｚｏ  Ｎｏｂｅｌから販売）を挙げることができる。
【００８６】
他にもカチオン界面活性剤として、以下を挙げることができる：
以下の式の第四級アンモニウム塩
Ｒ１’Ｒ２’Ｒ３’Ｒ４’Ｎ＋Ｘ−
式中
Ｒ１’およびＲ２’は、同一であるか異なっていて、Ｈまたは４個未満の炭素原子、好ましくは１または２個の炭素原子を含むアルキル基を表し、このアルキル基は１つ以上のヒドロキシル官能基で置換されていてもよく、またはＲ１’およびＲ２’は、窒素原子Ｎ＋と一緒になって複素環を形成することができる、
Ｒ３’およびＲ４’は、Ｃ８−Ｃ２２、好ましくはＣ１０−Ｃ２２の、アルキルもしくはアルケニル基またはアリールもしくはベンジル基を表し、ならびに
Ｘ−は、アニオン、例えばハライド（例えば、クロリド、ブロミド、またはヨージド）、スルファートまたはアルキルスルファート（メチルスルファート）、カルボキシラート（アセタート、プロピオナート、またはベンゾアート）、アルキルスルホナート、またはアリールスルホナートなどである。
【００８７】
詳細には、以下を挙げることができる：
ジアルキルジメチル塩化アンモニウム（ジ獣脂ジメチルアンモニウムクロリドまたはメチルスルフェートなど）、またはアルキルベンジルジメチルアンモニウムクロリド。
【００８８】
（Ｃ１０−Ｃ２５）アルキルイミダゾリウム塩（（Ｃ１０−Ｃ２５）アルキルイミダゾリウムメチルスルファートなど）、
置換ポリアミンの塩（Ｎ−獣脂−Ｎ，Ｎ’，Ｎ’−トリエタノール−１，３−プロピレンジアミンジクロリドまたはジ（メチルスルファート）またはＮ−獣脂−Ｎ，Ｎ，Ｎ’，Ｎ’，Ｎ’−ペンタメチル−１，３−プロピレンジアミンジクロリドなど）。
【００８９】
適した界面活性剤のさらなる例は、周知のハンドブック（「Ｓｕｒｆａｃｅ  Ａｃｔｉｖｅ  Ａｇｅｎｔｓ」，  ｖｏｌｕｍｅ  Ｉ，  ｂｙ  Ｓｃｈｗａｒｔｚ  ａｎｄ  Ｐｅｒｒｙ，  および「Ｓｕｒｆａｃｅ  Ａｃｔｉｖｅ  Ａｇｅｎｔｓ  ａｎｄ  Ｄｅｔｅｒｇｅｎｔｓ」，  ｖｏｌｕｍｅ  ＩＩ，  ｂｙ  Ｓｃｈｗａｒｔｚ，  Ｐｅｒｒｙ  ａｎｄ  Ｂｅｒｃｈ）に記載される、通常界面活性剤として用いられる化合物である。
【００９０】
界面活性剤は、発明の組成物の重量の０．００５から６０％、詳細には０．５から４０％で存在することができ、この量は界面活性剤の性質および洗浄組成物の目的とする所による。
【００９１】
有利には、共重合体／界面活性剤の重量比は、１／１から１／１０００、有利には１／２から１／２００の間である。
【００９２】
好ましくは、本発明による洗浄またはすすぎ組成物は、詳細には硬質表面洗浄用またはすすぎ用組成物に存在する従来の添加物から選択されるその他の添加物を少なくとも１種さらに含むことができる。
【００９３】
詳細には、以下を挙げることができる：
キレート化剤、詳細には、水溶性アミノホスホナートおよび有機ホスホナート型のキレート化剤、例えば
１−ヒドロキシエタン−１，１−ジホスホナート、
アミノトリ（メチレンジホスホナート）、
ビニルジホスホナート、
ビニルホスホン酸またはビニルジホスホン酸のオリゴマーまたは重合体の塩、
ビニルホスホン酸またはビニルジホスホン酸と、アクリル酸の、および／またはマレイン酸無水物の、および／またはビニルスルホン酸の、および／またはアクリルアミドメチルプロパンスルホン酸の、ランダム共オリゴマーまたは共重合体の塩、
ホスホン化ポリカルボン酸の塩、
ホスホン酸末端を含むポリアクリレート、
ビニルホスホン酸またはビニルジホスホン酸と、アクリル酸の共テロマー（ｃｏｔｅｌｏｍｅｒ）の塩、など、
例えば、Ｂｒｉｑｕｅｓｔ（登録商標）シリーズのものまたはＭｉｒａｐｏｌＡ３００もしくは４００（Ｒｈｏｄｉａから販売）など（洗浄組成物の合計重量の０から１０％好ましくは０から５％の割合）、
金属封鎖剤または酸化膜阻害剤、例えば：
ポリカルボン酸またはこの水溶性塩、ならびにカルボン酸重合体または共重合体の水溶性塩、例えば
ポリカルボキシラートまたはヒドロキシポリカルボキシラートエーテル、
ポリ酢酸またはこの塩（ニトリロ酢酸、Ｎ，Ｎ−ジカルボキシメチル−２−アミノペンタン二酸、エチレンジアミン四酢酸、ジエチレントリアミン五酢酸、エチレンジアミン五酢酸塩、ニトリロ酢酸塩、またはＮ−（２−ヒドロキシエチル）ニトリロ二酢酸塩）、
（Ｃ５−Ｃ２０アルキル）コハク酸の塩、
ポリカルボン酸アセタールエステル、
ポリアスパラギン酸またはポリグルタミン酸の塩、
クエン酸、アジピン酸、グルコン酸、または酒石酸、またはこれらの塩、など、
アクリル酸とマレイン酸無水物の共重合体、またはアクリル酸単独重合体（Ｒｈｏｄｏｌｉｎｅ  ＤＰ２２６  ３５（Ｒｈｏｄｉａ）およびＳｏｋａｌａｎ  ＣＰ５（ＢＡＳＦ）など）（前記洗浄組成物の合計重量の０から１０％の割合）、
スルホン化ポリビニルスチレンまたはこれらのアクリル酸、メタクリル酸などとの共重合体、
（洗浄組成物の合計重量の０から１０％の割合）、
以下の種の無機ビルダー（界面活性剤の表面性を改善する洗浄補助剤）：
アルカリ金属、アンモニウム、またはアルカノールアミンポリホスフェート（Ｒｈｏｄｉａｐｈｏｓ  ＨＤ７（Ｒｈｏｄｉａから販売）など）（洗浄組成物の合計重量の０から７０％の割合）、
アルカリ金属ピロホスファート、
ＳｉＯ２／Ｍ２Ｏ比が１から４、好ましくは１．５から３．５、特には１．７から２．８の範囲であり得るアルカリ金属ケイ酸塩；これらはＮａ２Ｓｉ２Ｏ５のα、β、γ、およびδ相など非晶質ケイ酸塩または層状ケイ酸塩が可能である（Ｃｌａｒｉａｎｔから参照番号ＮａＳＫＳ−５、ＮａＳＫＳ−７、ＮａＳＫＳ−１１、およびＮａＳＫＳ−６として販売）、
アルカリ金属またはアルカリ土類金属のホウ酸塩、炭酸塩、重炭酸塩、またはセスキ炭酸塩（前記洗浄組成物の合計重量の上限約５０％の範囲までの量が可能であり得る。）、
ＳｉＯ２／Ｍ２Ｏ比が１．５から３．５の範囲であり得るアルカリ金属ケイ酸塩水和物と、アルカリ金属（ナトリウムまたはカリウム）炭酸塩との共顆粒（ｃｏｇｒａｎｕｌｅ）；詳細には、ケイ酸塩に付随する水の含量が重量で、乾燥ケイ酸塩に対して、少なくとも３３／１００である共顆粒を挙げることができ、ケイ酸塩対炭酸塩の重量比は５／９５から４５／５５、好ましくは１５／８５から３５／６５の範囲が可能である（例えば、ＥＰ−Ａ−４８８８６８およびＥＰ−Ａ−５６１６５６に記載のもの、例えば、Ｎａｂｉｏｎ  １５（Ｒｈｏｄｉａから販売）など）、
（ビルダーの合計量は、前記洗浄またはすすぎ組成物の合計重量の上限９０％まで占めることが可能である。）、
過ホウ酸または過炭酸型の漂白剤、これはアセチル化漂白活性剤（Ｎ，Ｎ，Ｎ’，Ｎ’−テトラアセチルエチレンジアミン（ＴＡＥＤ）など）、またはクロロイソシアヌラート型の塩素化製品、またはアルカリ金属次亜塩素酸塩型の塩素化製品、または過酸化水素水溶液と組み合わせても組み合わせなくてもよい（前記洗浄組成物の合計重量の０から３０％の割合）、
硫酸ナトリウム、塩化ナトリウム、炭酸ナトリウム、炭酸カルシウム、カオリン、またはシリカ型の充填剤（前記組成物の合計重量の０から５０％の割合）、
遷移金属、詳細には鉄、マンガン、およびコバルト錯体を含む漂白触媒、例えば、［ＭｎＩＶ２（μ−Ｏ）３（Ｍｅ３ＴＡＣＮ）２］（ＰＦ６）２、［ＦｅＩＩ（ＭｅＮ４ｐｙ）（ＭｅＣＮ）］（ＣｌＯ４）２、［（ＣｏＩＩＩ）（ＮＨ３）５（ＯＡｃ）］（ＯＡｃ）２という種のもの、ＵＳ−Ａ−４７２８４５５、ＵＳ−Ａ−５１１４６０６、ＵＳ−Ａ−５２８０１１７、ＥＰ−Ａ−９０９８０９、ＵＳ−Ａ−５５５９２６１、ＷＯ９６／２３８５９、ＷＯ９６／２３８６０、およびＷＯ９６／２３８６１に記載のものなど（前記洗浄組成物の合計重量の０から５％の割合）、
洗浄またはすすぎ媒体に可溶性の、組成物のｐＨに影響を及ぼす作用剤、詳細には：
塩基性にする添加物（アルカリ金属のリン酸塩、炭酸塩、過ホウ酸塩、またはアルカリ金属水酸化物）または
必要に応じて洗浄を酸性にする添加物、例えば無機酸（リン酸、ポリリン酸、スルファミン酸、塩酸、フッ化水素酸、硫酸、硝酸、またはクロム酸）、カルボン酸もしくはポリカルボン酸（酢酸、ヒドロキシ酢酸、アジピン酸、クエン酸、ギ酸、フマル酸、グルコン酸、グルタル酸、グリコール酸、リンゴ酸、マレイン酸、乳酸、マロン酸、シュウ酸、コハク酸、および酒石酸）、または酸の塩（重硫酸ナトリウムまたはアルカリ金属重炭酸塩およびセスキ炭酸塩など）、
混合物の粘度および／または使用中に形成される泡の安定性を制御するために用いられる重合体（セルロース誘導体またはグアー誘導体（カルボキシメチルセルロース、ヒドロキシエチルセルロース、ヒドロキシプロピルグアー、カルボキシメチルグアー、カルボキシメチルヒドロキシプロピルグアーなど）、キサンタンガム、スクシノグリカン（Ｒｈｅｏｚａｎ（登録商標）、Ｒｈｏｄｉａから販売）、ローカストビーンガム、またはカラギーナンなど）（前記洗浄組成物の合計重量の０から２％の割合）、
ヒドロトロピー剤（ｈｙｄｒｏｔｒｏｐｉｃ  ａｇｅｎｔｓ）、例えば、短鎖Ｃ２−Ｃ８アルコール（詳細にはエタノール）、ジオールおよびグリコール（ジエチレングリコールまたはジプロピレングリコールなど）、ナトリウムキシレンスルホナートまたはナトリウムナフタレンスルホナートなど（前記洗浄組成物１００ｇあたり０から１０ｇの割合）、
肌用の水和剤または保湿剤（グリセリンまたは尿素など）、または肌保護剤（タンパク質またはタンパク質加水分解物など）、植物油（大豆油など）、またはカチオン性重合体（カチオン性グアー誘導体（Ｊａｇｕａｒ  Ｃ１３Ｓ（登録商標）、Ｊａｇｕａｒ  Ｃ１６２（登録商標）、またはＨｉｃａｒｅ  １０００（登録商標）、Ｒｈｏｄｉａから販売）など）（前記洗浄組成物の合計重量の０から４０％の割合）、
殺生物剤または殺菌消毒剤、例えば
カチオン性殺生物剤、例えば
＊モノ（第四級アンモニウム）塩、例えば
ココアルキルベンジルジメチルアンモニウムクロリド、（Ｃ１２−Ｃ１４アルキル）ベンジルジメチルアンモニウムクロリド、ココアルキルジクロロベンジルジメチルアンモニウムクロリド、テトラデシルベンジルジメチルアンモニウムクロリド、ジデシルジメチルアンモニウムクロリド、またはジオクチルジメチルアンモニウムクロリド、
ミリスチルトリメチルアンモニウムブロミド、またはセチルトリメチルアンモニウムブロミド、など
＊モノ第四級複素環アミン塩（ラウリルピリジニウムクロリド、セチルピリジニウムクロリド、または（Ｃ１２−Ｃ１４アルキル）ベンジルイミダゾリウムクロリドなど）、
＊（脂肪アルキル）トリフェニルホスホニウム塩（ミリスチルトリフェニルホスホニウムブロミドなど）、
＊重合体殺生物剤、例えば以下の反応に由来するものなど
エピクロロヒドリンとジメチルアミンまたはジエチルアミンとの反応、
エピクロロヒドリンとイミダゾールとの反応、
１，３−ジクロロ−２−プロパノールとジメチルアミンとの反応、
１，３−ジクロロ−２−プロパノールと１，３−ビス（ジメチルアミノ）−２−プロパノールとの反応、
エチレンジクロリドと１，３−ビス（ジメチルアミノ）−２−プロパノールとの反応、
ビス（２−クロロエチル）エーテルとＮ，Ｎ’−ビス（ジメチルアミノプロピル）尿素またはチオ尿素との反応、
ビグアニジン重合体塩酸塩（Ｖａｎｔｏｃｉｌ  ＩＢなど）、など
両性殺生物剤、例えばＮ−［Ｎ’−（Ｃ８−Ｃ１８アルキル）−３−アミノプロピル］グリシン誘導体、Ｎ−｛Ｎ’−［Ｎ’’−（Ｃ８−Ｃ１８アルキル）−２−アミノエチル］−２−アミノエチル｝グリシン誘導体、またはＮ，Ｎ−ビス［Ｎ’−（Ｃ８−Ｃ１８アルキル）−２−アミノエチル］グリシン誘導体（（ドデシル）（アミノプロピル）グリシンまたは（ドデシル）（ジエチレンジアミン）グリシンなど）、
アミン、例えばＮ−（３−アミノプロピル）−Ｎ−ドデシル−１，３−プロパンジアミンなど、
ハロゲン化殺生物剤、例えばヨード剤（ｉｏｄｏｐｈｏｒｅｓ）および次亜塩素酸塩（ナトリウムジクロロイソシアヌレートなど）など
フェノール殺生物剤、例えばフェノール、レソルシノール、クレゾール、またはサリチル酸など、
疎水性殺生物剤、例えば
ｐ−クロロ−ｍ−キシレノールまたはジクロロ−ｍ−キシレノール、
４−クロロ−ｍ−クレゾール、
レソルシノールモノアセタート、
モノまたはポリ（アルキルまたはアリール）フェノール、クレゾール、またはレソルシノール、例えばｏ−フェニルフェノール、ｐ−（ｔｅｒｔ−ブチル）フェノール、または６−（ｎ−アミル）−ｍ−クレゾールなど、
アルキルおよび／またはアリール（クロロまたはブロモ）フェノール、例えばｏ−ベンジル−ｐ−クロロフェノールなど、
ハロゲン化ジフェニルエーテル、例えば２’，４，４’−トリクロロ−２−ヒドロキシジフェニルエーテル（トリクロサン）または２，２’−ジヒドロキシ−５，５’−ジブロモジフェニルエーテルなど、
クロルフェネシン（ｐ−クロロフェニルグリセリルエーテル）、など
（前記洗浄組成物の合計重量の０から５％の割合）、
良好な洗浄または脱グリース活性を有する溶媒、例えば
オクチルベンゼン型のアルキルベンゼン、
沸点が少なくとも１００℃のオレフィン（α−オレフィンなど、好ましくは１−デセンまたは１−ドデセン）、
一般式Ｒ１Ｏ（Ｒ２Ｏ）ｍＨのグリコールエーテル、式中、Ｒ１は炭素数３から８のアルキル基であり、Ｒ２はそれぞれエチレンまたはプロピレンであり、およびｍは１から３の数である；モノプロピレングリコールモノプロピルエーテル、ジプロピレングリコールモノブチルエーテル、モノプロピレングリコールモノブチルエーテル、ジエチレングリコールモノヘキシルエーテル、モノエチレングリコールモノヘキシルエーテル、モノエチレングリコールモノブチルエーテル、およびこれらの混合物を挙げることができる、
分子構造中に炭素原子が６から１６個存在するジオール；ジオールは、この脱グリース性だけでなく、カルシウム塩（石鹸）を除去する助けになり得ることから特に有利である；炭素原子を８から１２個含むジオールが好ましく、特に２，２，４−トリメチル−１，３−ペンタンジオールが好ましい、
その他の溶媒、例えば松油、オレンジテルペン、ベンジルアルコール、ｎ−ヘキサノール、フタル酸エステル、炭素原子を１から４個有するアルコール、ブトキシプロパノール、ブチルカルビトールおよび１−（２−（ｎ−ブトキシ）−１−メチルエトキシ）プロパン−２−オール（ブトキシプロポキシプロパノールまたはジプロピレングリコールモノブチルエーテルとしても知られる。）、ヘキシルジグリコール（ヘキシルカルビトール）、ブチルトリグリコール、ジオール（２，２，４−トリメチル−１，３−ペンタンジオールなど）、およびこれらの混合物など、
（前記洗浄組成物の合計重量の０から３０％の割合）、
工業用洗浄剤、例えばリン酸、炭酸、ケイ酸などのアルカリ金属塩（ナトリウムまたはカリウムタイプ）の溶液など、（前記洗浄組成物の合計重量の０から５０％の割合）、
洗浄効果がほとんどない水溶性有機溶媒、例えばメタノール、エタノール、イソプロパノール、エチレングリコール、プロピレングリコール、およびこれらの混合物など（前記洗浄組成物の合計重量の０から４０％の割合）、
共溶媒、例えばモノエタノールアミンおよび／またはβ−アミノアルカノールなど、これらはｐＨが１１より高い組成物で特に有利であり、１１．７より高い組成物でさらに有利であり、というのはこれらが硬質表面上の膜形成または跡形成を減らす助けになるからである（これらは洗浄組成物の重量の０．０５から５％の割合で用いることができる。）；モノエタノールアミンおよび／またはβ−アミノアルカノールを含む溶媒系はＵＳ５１０８６６０に記載される、
消泡剤、詳細には石鹸など；石鹸は、脂肪酸のアルカリ金属塩、詳細には高級脂肪酸（約８から２４個、好ましくは約１０から約２０個の炭素原子を含む。）のナトリウム、カリウム、アンモニウム、およびアルカノールアンモニウム塩である；詳細には、ココナッツ油に由来する脂肪酸と挽いたクルミの油に由来する脂肪酸の混合物の、モノ、ジ、およびトリエタノールアミン塩、ナトリウム塩、およびカリウム塩が挙げられる；石鹸の量は、組成物の合計重量に対して、少なくとも０．００５重量％、好ましくは０．５から２重量％が可能である。泡修飾剤のさらなる例は、有機溶媒、疎水性シリカ、シリコーン油、および炭化水素である、
研磨剤、例えば、シリカまたは炭酸カルシウムなど、
様々な添加物、例えば、酵素、香料、着色料、金属の腐食防止剤、保存料、光学的光沢剤、乳白化または真珠光沢剤など。
【００９４】
本発明の目的物を形成する組成物のｐＨまたは前記組成物の使用ｐＨは、０．５から１４、好ましくは１から１４の範囲が可能である。
【００９５】
家庭用用途では、ｐＨが７．５以上、好ましくは８．５超、特にはｐＨ８．５から１２、詳細には８．５から１１．５のアルカリ型組成物が、グリース性汚染物質の除去に特に用いられ、台所の洗浄に特に適している。
【００９６】
アルカリ型組成物は、これらの重量の０．００１から５％、好ましくは０．００５から２％の量で、本発明の共重合体を含むことができる。
【００９７】
アルカリ組成物は、通常、共重合体の他に、以下から選択される添加物を少なくとも１種含む：
金属封鎖剤または酸化膜阻害剤（組成物の重量の０から４０％、好ましくは１から４０％、より好ましくは２から３０％、特には５から２０％の範囲の量）、
カチオン性殺生物剤または殺菌消毒剤、詳細には第四級アンモニウム型のもの、例えば（Ｎ−アルキル）ベンジルジメチルアンモニウムクロリド、（Ｎ−アルキル）ジメチル（エチルベンジル）アンモニウムクロリド、Ｎ−ジデシルジメチルアンモニウムハライド、およびジ（Ｎ−アルキル）ジメチルアンモニウムクロリドなど（組成物の重量の０から６０％、好ましくは０から４０％、より好ましくは０から１５％、特には０から５％の範囲となり得る量）、
少なくとも１種の非イオン性、両性、双性イオン、またはアニオン界面活性剤、またはこれらの混合物；カチオン界面活性剤が存在する場合、前記組成物はさらに、好ましくは両性および／または非イオン性界面活性剤を含む（界面活性剤の合計量は、組成物の重量の０から８０％、好ましくは０から５０％、特には０から３５％の範囲が可能である。）
必要ならば、組成物を希釈または溶解後に必要に応じて、使用ｐＨを７．５から１３の範囲にすることができる量の、ｐＨ修飾剤；ｐＨ修飾剤は、詳細には、モノエタノールアミンおよび／またはβ−アミノアルカノール、ならびにアンモニア水、Ｃ２−Ｃ４アルカノールアミン、ケイ酸塩、ホウ酸塩、炭酸塩、重炭酸塩、アルカリ金属水酸化物、およびこれらの混合物からなる群からの潜在的な、ただし好ましくは「共緩衝剤」であるアルカリ性材料を含む緩衝液系が可能である。好適な共緩衝剤はアルカリ金属水酸化物である、
重量で０．５から９８％、好ましくは２５から９５％、特には４５から９０％の水、
洗浄または脱グリース有機溶媒；前記組成物の重量の０から６０％、好ましくは１から４５％、特には２から１５％となることができる量、
共溶媒、例えばモノエタノールアミンおよび／またはβ−アミノアルカノールなど（前記組成物の重量の０から１０％、好ましくは０．０５から１０％、特には０．０５から５％となることができる量）、
洗浄効果のほとんどない水溶性有機溶媒（前記組成物の重量の０から２５％、好ましくは１から２０％、特には２から１５％となることができる量）、
必要に応じて漂白剤、香料、または他の従来の添加物。
【００９８】
前記アルカリ性組成物は、そのまま使える配合物の形で、または、詳細には使用前に水に希釈する予定の、乾燥もしくは濃縮配合物のいずれかの形で提供することができる。乾燥または濃縮配合物は、使用前に、１倍から１００００倍、好ましくは１倍から１０００倍に希釈することができる。
【００９９】
有利には、台所洗浄用配合物は以下を含む：
本発明の共重合体０．００１から１重量％、
水溶性溶媒、詳細にはイソプロパノール１から１０重量％、
洗浄または奪グリース溶媒、詳細にはブトキシプロパノール１から５重量％、
モノエタノールアミン０．１から２重量％、
少なくとも１種の非カチオン性界面活性剤、好ましくは両性または非イオン性界面活性剤０から５重量％、
少なくとも１種の、殺菌消毒性を持つカチオン界面活性剤（詳細には（ｎ−アルキル）ジメチル（エチルベンジル）アンモニウムクロリドと（ｎ−アルキル）ジメチルベンジルアンモニウムクロリドの混合物）０から１重量％、
界面活性剤の合計量は１から５０重量％となる、
酸化膜阻害剤としてのジカルボン酸０から２重量％、
漂白剤０から５％、
および、水７０から９８重量％。
【０１００】
このような配合物のｐＨは、好ましくは７．５から１３、より好ましくは８から１２である。
【０１０１】
ｐＨが５未満である酸性型組成物は、無機型の汚染物質の除去に特に用いられる。酸性型組成物は、便器の洗浄に特に適している。
【０１０２】
酸性型組成物はこれらの重量の０．００１から５％、好ましくは０．０１から２％の量で、本発明の共重合体を含むことができる。
【０１０３】
酸性組成物は、通常、本発明の共重合体の他に、以下を含む：
無機酸または有機酸作用剤（組成物の重量の０．１から４０％、好ましくは０．５から２０％、およびより好ましくは０．５から１５％の範囲の量）、
少なくとも１種の非イオン性、両性、双性イオン、またはアニオン界面活性剤、またはこれらの混合物（界面活性剤の合計量は、組成物の重量の０．５から２０％、好ましくは０．５から１０％の範囲が可能である。）、
必要に応じてカチオン性殺生物剤または殺菌消毒剤、詳細には第四級アンモニウム型のもの、例えば（Ｎ−アルキル）ベンジルジメチルアンモニウムクロリド、（Ｎ−アルキル）ジメチル（エチルベンジル）アンモニウムクロリド、Ｎ−ジデシルジメチルアンモニウムハライド、およびジ（Ｎ−アルキル）ジメチルアンモニウムクロリドなど（組成物の重量の０．０１から２％、好ましくは０．１から１の範囲となり得る量）、
必要に応じて増粘剤（組成物の重量の０．１から３％の範囲の量）、
必要に応じて漂白剤（組成物の重量の１から１０％の範囲の量）、
水を重量で０．５から９９％、好ましくは５０から９８％、
溶媒、例えばグリコールまたはアルコールなど（組成物の重量の０から１０％、好ましくは１から５％の範囲となり得る量）、
必要に応じて、香料、保存料、研磨剤、または他の従来の添加物。
【０１０４】
前記酸性組成物は、好ましくは、そのまま使える配合物の形で提供される。
【０１０５】
有利には、便器洗浄用配合物は、以下を含む：
本発明の共重合体を重量で０．０５から５％、好ましくは０．０１から２％、
組成物の最終ｐＨが０．５から４、好ましくは１から４となるような量の酸性洗浄剤；この量は、組成物の重量に対して、通常０．１から約４０％、好ましくは０．５から約１５重量％の間である；酸性作用剤は、詳細には、無機酸（リン酸、スルファミン酸、塩酸、フッ化水素酸、硫酸、硝酸、またはクロム酸、およびこれらの混合物など）、有機酸（詳細には酢酸、ヒドロキシ酢酸、アジピン酸、クエン酸、ギ酸、フマル酸、グルコン酸、グルタル酸、グリコール酸、リンゴ酸、マレイン酸、乳酸、マロン酸、シュウ酸、コハク酸、または酒石酸、およびこれらの混合物）、または酸塩（重硫酸ナトリウムなど）、およびこれらの混合物が可能である；好適な量は、用いる酸性洗浄剤の種に依存する：例えば、重量で、スルファミン酸では０．２から１０％、塩酸では１から１５％、クエン酸では２から１５％、ギ酸では５から１５％、およびリン酸では２から３０％、の間である、
少なくとも１種の界面活性剤、好ましくはアニオンまたは非イオン性界面活性剤０．５から１０重量％、
必要に応じて少なくとも１種の、殺菌消毒性を持つカチオン界面活性剤（詳細には（ｎ−アルキル）ジメチル（エチルベンジル）アンモニウムクロリドと（ｎ−アルキル）ジメチルベンジルアンモニウムクロリドの混合物）０．１から２重量％、
必要に応じてガム型の、詳細にはキサンタンガムまたはスクシノグリカン（Ｒｈｅｏｚａｎ）増粘剤（組成物の重量の０．１から３％の範囲の量）、
必要に応じて漂白剤（組成物の重量の１から１０％の範囲の量）、
必要に応じて、保存料、着色料、香料、または研磨剤、
および水５０から９５重量％。
【０１０６】
本発明の組成物について、その他幾つかの特定の実施形態および利用形態を以下に説明する。
【０１０７】
このように、本発明による組成物は、ガラス表面、詳細には窓の洗浄処理を容易にするのに用いることができる。この処理は、様々な既知の技術で行うことができる。詳細には、Ｋａｒｃｈｅｒ（登録商標）型のデバイスを用いてジェット水流を噴射することにより窓を洗浄する技術を挙げることができる。
【０１０８】
導入する本発明の共重合体の量は、一般に、任意の希釈後、洗浄組成物の使用中、本発明の共重合体の濃度が０．００１ｇ／ｌから２ｇ／ｌ、好ましくは０．００５ｇ／ｌから０．５ｇ／ｌの間であるような量となる。
【０１０９】
本発明による窓の洗浄組成物は以下を含む：
本発明の共重合体を０．００１から１０重量％、好ましくは０．００５から３重量％、
少なくとも１種の、非イオン性界面活性剤（例えば、アミンオキシドまたはアルキルポリグルコシド）および／またはアニオン界面活性剤を０．００５から２０重量％、好ましくは０．５から１０重量％、および
残りを形成する水および／または当分野で通常の様々な添加物。
【０１１０】
前記重合体を含む窓用洗浄配合物は、以下も含むことができる：
両性界面活性剤を０から１０％、有利には０．５から５％、
溶媒（アルコールなど）を０から３０％、有利には０．５から１５％、ならびに
残りを構成する水および従来の添加物（詳細には香料）。
【０１１１】
組成物のｐＨは有利には６から１１の間である。
【０１１２】
本発明の組成物は、自動装置で食器を洗浄するのを容易にするのにも有利である。前記組成物は、洗浄サイクルで用いる洗浄剤（洗浄）配合物またはすすぎ配合物のいずれかが可能である。
【０１１３】
本発明による自動食器洗浄機で食器を洗うための洗浄剤組成物は、有利には、本発明の共重合体を０．０１から５重量％、好ましくは０．１から３重量％含む。
【０１１４】
前記食器洗浄機用洗浄剤組成物は、少なくとも１種の界面活性剤、好ましくは非イオン性界面活性剤も、前記洗浄剤組成物の０．２から１０重量％、好ましくは０．５から５重量％の範囲となり得る量で含み、残りはすでに上記に記載したような様々な添加物および充填剤で構成される。
【０１１５】
このように、洗浄剤組成物はさらに以下を含むことができる：
ナトリウムトリポリホスファートまたはシリケート型の洗浄補助剤（ビルダー）少なくとも１種を上限９０重量％、
少なくとも１種の洗浄助剤、好ましくはアクリル酸とメチルプロパンスルホン酸（ＡＭＰＳ）の共重合体を上限１０重量％、好ましくは１から１０重量％、特には２から８重量％、
少なくとも１種の漂白剤、好ましくは過ホウ酸または過塩素酸を上限３０重量％、漂白剤は漂白活性剤と組み合わせても組み合わせなくてもよい、
少なくとも１種の充填剤、好ましくは硫酸ナトリウムまたは塩化ナトリウムを上限５０重量％。
【０１１６】
ｐＨは有利には８から１３の間である。
【０１１７】
本発明による自動食器洗浄機での食器のすすぎを容易にするための組成物は、有利には、組成物の合計重量に対して、本発明の共重合体を、０．０２から１０重量％、好ましくは０．１から５重量％含むことができる。
【０１１８】
前記組成物は、界面活性剤、好ましくは非イオン性界面活性剤も、前記組成物の合計重量に対して、０．１から２０重量％、好ましくは０．２から１５重量％含むことができる。
【０１１９】
好適な非イオン性界面活性剤として、以下の種の界面活性剤を挙げることができる：ポリオキシエチレン化Ｃ６−Ｃ１２アルキルフェノール、ポリオキシエチレン化および／またはポリオキシプロピレン化Ｃ８−Ｃ２２脂肪族アルコール、エチレンオキシド／プロピレンオキシドブロック共重合体、必要に応じてポリオキシエチレン化カルボキサミド、など。
【０１２０】
前記組成物は、さらに、カルシウム封鎖有機酸、好ましくはクエン酸を組成物の合計重量に対して、０から１０重量％、好ましくは０．５から５重量％、含むことができる。
【０１２１】
この組成物は、アクリル酸と無水マレイン酸の共重合体またはアクリル酸単独重合体型の助剤も、前記組成物の合計重量に対して、０から１５重量％、好ましくは０．５から１０重量％含むことができる。
【０１２２】
ｐＨは、有利には、４から７の間である。
【０１２３】
本発明の別の特定の実施形態は、詳細には車体、原動機付きの乗り物（自動車、トラック、バス、列車、飛行機など）の外側洗浄を容易にする組成物である。
【０１２４】
この場合も、組成物は適性な洗浄組成物またはすすぎ組成物が可能である。
【０１２５】
自動車用洗浄組成物は、有利には、本発明の共重合体を、前記組成物の合計重量に対して、０．００５から１０重量％、ならびに以下を含む：
非イオン性界面活性剤（配合物の０から３０％、好ましくは０．１から１５％の割合）、
両性および／または双性イオン界面活性剤（配合物の０から３０％、好ましくは０．０１から１０％の割合）、
カチオン界面活性剤（配合物の０から３０％、好ましくは０．０５から１５％の割合）、
アニオン界面活性剤（配合物の０から３０％、好ましくは０．１から１５％の割合）、
洗浄補助剤（ビルダー）（配合物の１から９９％、好ましくは４０から９８％の割合で）、
ヒドロトロピー剤、
充填剤、ｐＨ修飾剤など。
【０１２６】
この種の組成物に存在する界面活性剤の最小量は、好ましくは少なくとも配合物の０．５％である。
【０１２７】
組成物のｐＨは、有利には、８から１３の間である。
【０１２８】
本発明の組成物はまた、セラミック型の硬質表面（タイル、浴槽、浴室の流しなど）、詳細には浴室用のものを洗浄するのを容易にするのに特に適している。
【０１２９】
洗浄配合物は、有利には、本発明の共重合体を、前記組成物の合計重量に対して、０．０２から５重量％、および少なくとも１種の界面活性剤を含む。
【０１３０】
界面活性剤として、非イオン性界面活性剤、詳細には親水性のアルキレンオキシド基と疎水性有機化合物（これは脂肪族またはアルキル芳香族性のものであり得る。）との縮合により生成する化合物が優先される。
【０１３１】
親水性／疎水性バランス（ＨＬＢ）を所望の度合いで有する水溶性化合物を得る目的で、親水性鎖の長さまたは任意の疎水性基と縮合したポリオキシアルキレンラジカルの長さを容易に調整することができる。
【０１３２】
本発明の組成物中の非イオン性界面活性剤の量は、０から３０重量％、好ましくは０から２０重量％が可能である。
【０１３３】
アニオン界面活性剤は、必要に応じて、０から３０重量％、有利には０から２０重量％の量で存在することが可能である。両性、カチオン、または双性イオン洗浄剤を加えることも可能であるが、必須ではない。
【０１３４】
この種の組成物で用いられる界面活性化合物の合計量は、組成物の合計重量に対して、通常０．５から５０重量％、好ましくは１から３０重量％の間、より好ましくは２から２０重量％の間である。
【０１３５】
前記洗浄組成物は、例えば以下の他の副成分も含むことができる：
上記に記載されるような洗浄補助剤（ビルダー）（組成物の合計重量に対して、０．１から２５重量％の間となり得る量）、
上記で記載されるような泡修飾剤、詳細には石鹸タイプのもの（組成物の合計重量に対して、通常少なくとも０．００５重量％、好ましくは０．５重量％から２重量％の量）、
ｐＨ修飾剤、着色料、光学的光沢剤、汚染物質懸濁化剤、洗浄性酵素、相溶性漂白剤、ゲル形成制御剤、凍結乾燥安定剤、殺菌剤、保存料、溶媒、防カビ剤、昆虫忌避剤、ヒドロトロピー剤、香料、および乳白または真珠光沢剤。
【０１３６】
組成物のｐＨは、有利には２から１２の間である。
【０１３７】
本発明による組成物は、シャワー室壁のすすぎを容易にするのにも適している。シャワー室壁をすすぐための水性組成物は、本発明の共重合体を０．０２重量％から５重量％、有利には０．０５から１％含む。
【０１３８】
本発明のシャワーすすぎ用水性組成物のその他の主要活性成分は、０．５から５重量％の範囲の量で存在する少なくとも１種の界面活性剤、および必要に応じて、０．０１から５重量％の範囲の量で存在する上記で記載されるような金属キレート化剤である。
【０１３９】
シャワーすすぎ用水性組成物は、有利には、水を、必要に応じて、割合の多い少なくとも１種の低級アルコール、および少ない割合の添加物（約０．１から約５重量％の間、より有利には約０．５重量％から約３重量％の間、およびより好ましくはなお約１重量％から約２重量％の間）とともに含む。
【０１４０】
この種の用途に用いることができる界面活性剤が幾つかＵＳ５５３６４５２およびＵＳ５５８７０２２に記載されている。
【０１４１】
好適な界面活性剤は、ポリエトキシ化脂肪エステル、例えば、ポリエトキシ化モノオレイン酸ソルビタンおよびポリエトキシ化ヒマシ油である。このような界面活性剤の具体例は、エチレンオキシド２０ｍｏｌとモノオレイン酸ソルビタンの縮合物（Ａｌｋａｍｕｌｓ  ＰＳＭＯ−２０（登録商標）の名前でＲｈｏｄｉａ  Ｉｎｃ．から販売、ＨＬＢ  １５．０）、およびエチレンオキシド３０ｍｏｌまたは４０ｍｏｌとヒマシ油の縮合物（それぞれＡｌｋａｍｕｌｓ  ＥＬ−６２０（登録商標）（ＨＬＢ  １２．０）およびＥＬ−７１９（登録商標）（ＨＬＢ  １３．６）の名前でＲｈｏｄｉａ  Ｉｎｃ．から販売）である。エトキシ化の度合いは、好ましくはＨＬＢが１３より大きい界面活性剤を得るのに十分なものである。
【０１４２】
組成物のｐＨは、有利には７から１１の間である。
【０１４３】
本発明による組成物は、ガラスセラミックシートの洗浄を容易にするのにも用いることができる。
【０１４４】
有利には、本発明のガラスセラミックシート洗浄用配合物は、以下を含む：
本発明の共重合体０．０１から５重量％、
増粘剤（キサンタンガムなど）０．１から１重量％、
研磨剤（炭酸カルシウムまたはシリカなど）１０から６０重量％、
溶媒（ブチルジグリコールなど）０から７重量％、
非イオン性界面活性剤１から１０重量％、および
必要に応じて塩基性化剤または金属イオン封鎖剤。
【０１４５】
組成物のｐＨは、有利には７から１２の間である。
【０１４６】
上記のとおり、本発明による組成物は、工業での洗浄分野、詳細には反応器の洗浄を容易にするのにも用いることができる。
【０１４７】
有利には、前記組成物は以下を含む：
本発明の共重合体０．０２から５重量％、
アルカリ金属塩（ナトリウムまたはカリウムのリン酸塩、炭酸塩、ケイ酸塩）１から５０重量％、
界面活性剤混合物、詳細には非イオン性界面活性剤（エトキシ化脂肪アルコールなど）とアニオン界面活性剤（ラウリルベンゼンスルホナートなど）の混合物１から３０重量％、
溶媒（ジイソブチルエーテルなど）０から３０重量％。
【０１４８】
このような組成物のｐＨは、通常８から１４の間である。
【０１４９】
食器洗い用組成物
本発明の組成物は、詳細には、自動用または手洗い用の食器洗い用組成物とすることができる。このような組成物は既知である。この組成物は、詳細には少なくとも１種の界面活性剤を含むことができる。自動用食器洗い用組成物は、通常、さらにビルダーを含む。
【０１５０】
食器洗い用組成物は、詳細には本発明の共重合体を、０．０１から５重量％、好ましくは０．０５から３重量％、好ましくは０．２から１．５重量％含むことができる。
【０１５１】
食器洗い用組成物は、任意の形、詳細には水性または非水性の液状（これは好ましくは濃縮されている。）、固体状、またはゲル状で提供することができる。
【０１５２】
食器洗い用組成物は、水性媒体で泡立つものとすることができる。この組成物は好ましくは少なくとも１種の界面活性剤を含む。使用できる界面活性剤は上記に記載されている。界面活性剤は、詳細には、アニオン界面活性剤、非イオン性界面活性剤、両性または双性イオン界面活性剤、カチオン界面活性剤、またはこれらの混合物から選択することができる。
【０１５３】
界面活性剤の量は、乾燥ベースで表して、組成物の重量合計の０．１から９９％、好ましくは０．５から６０％を占めることができる。
【０１５４】
食器洗い用組成物が石鹸タイプの固形の塊の場合、界面活性剤の量は、乾燥ベースで表して、組成物の重量合計の上限９９％、好ましくは上限９５％までを占めることができる。界面活性剤の量は、通常、組成物の合計重量の少なくとも５０％を占める。石鹸タイプの固形の塊は、さらに、水および／または水混和性溶媒を前記固体の重量の上限２０％までの範囲となり得る量で含むことができる。
【０１５５】
組成物の合計重量は、本発明の共重合体に加えて、必要に応じて界面活性剤、その他可能な成分（水、溶媒、他の添加物）を含めた、組成物全体の重量を意味すると理解される。
【０１５６】
手洗い用食器洗い用組成物は、さらに、泡修飾添加物、詳細には泡の感触、密度および／または白さの改善剤、泡の持続時間を伸ばす作用剤、および／または泡の量を増やす作用剤を含むことができる。場合によっては、「泡エンハンサー」または「泡ブースター」という用語を用いる。泡修飾添加物は、例えば、脂肪族アルコール（ＡＡ）、好ましくは直鎖脂肪族アルコール、例えば、Ｃ８−Ｃ２２の、好ましくはＣ１２−Ｃ１８の、さらにはＣ１２−Ｃ１６のアルコール、またはこれらの混合物が可能であり、これらはＷＯ２００６／０３５１５４に記載される。泡修飾添加物は、例えば、ＷＯ００／７１６５１、ＷＯ００／７１５９１、ＷＯ０２／０２６８４４、ＵＳ６６５６９００、ＥＰ１１８００６１、ＷＯ９９／２７０５８、ＷＯ９９／２７０５４、ＷＯ９９／２７０５３、ＷＯ９９／２７０５７、ＷＯ００／７１６６０、ＷＯ００／７１６５９、ＷＯ００／７１２４１、ＷＯ００／７１６５２、およびＷＯ００／７１６５８に記載される（共）重合体も可能である。
【０１５７】
好ましくは、食器洗い用組成物は、さらに、水および／または少なくとも１種の水混和性溶媒を含む。水混和性溶媒は、周辺温度で、水との混合物として、単独の透明な相を形成する任意の溶媒を意味すると理解される。水および／または水混和性溶媒は、前記組成物の合計重量の上限９９．５％まで占めることができる。水および／または水混和性溶媒の最小量は、通常１％である。水／溶媒混合物が関係する場合、前記溶媒は前記混合物の重量の上限８０％まで占めることができる。前記溶媒は、好ましくは、脂肪族Ｃ２−Ｃ８モノまたはポリアルコール、およびこれらのエーテルから選択される。詳細には、溶媒の例として、エタノール、プロパノール、イソプロパノール、ブタノール、２−ブトキシエタノール、ジエチレングリコール、１−ブトキシエタノール−２−プロパノール、またはジエチレングリコールモノブチルエーテルを挙げることができる。
【０１５８】
前記食器洗い用組成物は、詳細には、濃縮液状組成物の場合、さらに、粘性および／または泡の安定性を制御する重合体（重量平均分子量が１０００から５００００００ｇ／ｍｏｌであるポリアクリル酸またはこの水溶性塩、重量平均分子量が上限３００００ｇ／ｍｏｌであるエチレンオキシド／プロピレンオキシドブロック共重合体、分子量が少なくとも４００ｇ／ｍｏｌであるポリエチレングリコール、または分子量が少なくとも１００００ｇ／ｍｏｌである生体高分子など）を少なくとも１種含むことができる。この重合体が存在する場合、前記重合体は、乾燥ベースで表して、濃縮液状組成物の重量の０．０１から１０％を占めることができる。
【０１５９】
濃縮組成物は、使用中に希釈することができる任意の組成物を意味すると理解される。
【０１６０】
粘性および／または泡の安定性を制御することができる重合体の例として、以下を挙げることができる：
ポリアクリル酸またはこれらの塩、例えば、Ｂ．Ｆ．ＧｏｏｄｒｉｃｈのＣａｒｂｏｐｏｌ製品、詳細にはＣａｒｂｏｐｏｌ  ９４１、Ｃａｒｂｏｐｏｌ  ８０１、Ｃａｒｂｏｐｏｌ  ９０７、Ｃａｒｂｏｐｏｌ  ９１０、Ｃａｒｂｏｐｏｌ  ９３４、またはＣａｒｂｏｐｏｌ  ９４０など、
エチレンオキシド／プロピレンオキシドブロック共重合体、例えば、ＲｈｏｄｉａのＡｎｔａｒｏｘ製品、詳細にはＡｎｔａｒｏｘ  Ｆ−８８など、
生体高分子、例えば、グアーガム、アラビアガム、キサンタンガム、レオザン（ｒｈｅｏｚａｎ）ガム、ウェラン（ｗｅｌａｎ）ガム、カラギーナン、またはセルロース誘導体もしくはグアー誘導体（カルボキシメチルセルロース、ヒドロキシエチルセルロース、ヒドロキシプロピルグアー、カルボキシメチルグアー、またはカルボキシメチルヒドロキシプロピルグアー）など。
【０１６１】
組成物の目的とする所に従って、白色剤、ビルダー、ヒドロトロピー剤、保湿剤、香料、殺生物剤、保存料、およびその他の普通の添加物も存在することができる。
【０１６２】
手洗い用食器洗い用組成物に関して、詳細には、以下を挙げることができる：
合成カチオン性重合体、例えばＭｉｒａｐｏｌ  Ａ５５０（登録商標）またはＭｉｒａｐｏｌ  Ａ１５（登録商標）、Ｒｈｏｄｉａから販売、またはＭｅｒｑｕａｔ  ５５０（登録商標）、Ｃａｌｇｏｎから販売、など、
ヒドロトロピー剤、例えば短鎖Ｃ２−Ｃ８アルコール（詳細にはエタノール）、ジオール、およびグリコール（ジエチレングリコールまたはジプロピレングリコールなど）など、
肌用保湿または湿潤剤（グリセロール、尿素など）または肌保護剤、例えばタンパク質またはタンパク質加水分解物、またはカチオン性重合体（カチオン性グアー誘導体など（Ｊａｇｕａｒ  Ｃ１３Ｓ（登録商標）、Ｊａｇｕａｒ  Ｃ１６２（登録商標）、またはＨｉｃａｒｅ  １０００（登録商標）、Ｒｈｏｄｉａから販売））など。
【０１６３】
組成物はこの使用時に希釈することができることが留意される。組成物はこの目的とする所に従って、この体積を１０から５００００倍に希釈することができる。希釈後の組成物の界面活性剤濃度は、通常、０．０００１から１０％、好ましくは０．００１から５％、特には０．００５から２％となることが可能である。
【０１６４】
食器洗い用組成物の使用−乾燥
食器洗い用組成物は普通に用いることができる。
【０１６５】
手洗いで食器を洗う方法の流れにおいて、例えば、以下の段階を含む方法を行うことができる：
段階ａ）必要に応じて組成物を水で希釈する、
段階ｂ）洗う予定の食器品目と必要に応じて希釈した組成物を、適切ならば、塗布手段を用いて、一緒にする、
段階ｃ）通常は、摩擦手段を用いて食器をこする、
段階ｄ）必要に応じて食器をすすぐ、
段階ｅ）乾燥する。
【０１６６】
食器を洗う方法は、個人によって様々であり得る。
【０１６７】
段階ａ）は、食器用浴の形成に相当し得る。希釈度は、代表的には、１００から２０００であり得る。「フルシンク（ｆｕｌｌ  ｓｉｎｋ）」方法と呼ぶこともある。このような実施形態において、本発明の共重合体の濃度は、詳細には０．０００２５から０．０１％、好ましくは０．０００１から０．００５％であり得る。希釈度は、この限界に合わせることができる。詳細には、希釈度は、製品に関連した任意の伝達手段により、例えば、ラベル上、広告中、消費者サービス部を通じて、またはインターネットサイトを通じて、規定することができる。希釈度は、水を含んだ適した塗布手段および／または摩擦手段（水または水性組成物を含ませたスポンジ、または不織パッドなど）に組成物を付ける間に達成することができる。このような実施形態において、本発明の共重合体の濃度（希釈後）は、詳細には、１から１００であり得る。
【０１６８】
段階ｂ）は、詳細には、食器品目を食器用浴に浸けることにより行うことができる。別の形によれば、組成物は、例えば、組成物を含む軟質または半軟質容器を押すことにより、またはポンプを用いて、または単に重力により、食器品目に直接塗布される。別の形によれば、組成物は、塗布手段（スポンジ、パッド、ブラシ、または食器洗いをする人物の必要に応じて手袋で保護された指など）に付けられ、それから塗布手段を、食器品目と接触させる。これらの形の両方について、直接塗布方法と呼ぶことが多い。つまり段階ａ）と段階ｂ）を同時におよび／または一緒にして希釈度を達成できることが留意される。
【０１６９】
直接塗布型方法が好ましく、乾燥の改善をより顕著にもたらし得る。詳細には、製品に関連した任意の伝達手段により、例えば、ラベル上、広告中、消費者サービス部を通じて、またはインターネットサイトを通じて、規定することができる。
【０１７０】
段階ｃ）の摩擦は、詳細には、食器品目全体への摩擦手段の円運動および／または前後運動により、従来どおりに行うことができる。摩擦手段は、例えば、スポンジ、パッド、ブラシ、または食器を洗う人物の必要に応じて手袋で保護された指が可能である。さらに、摩擦手段は段階ｂ）の塗布手段が可能である。接触操作は摩擦中に行うことができる；つまり、段階ｂ）と段階ｃ）は一緒にしてしまう。
【０１７１】
段階ｄ）は、通常、推奨される。例えば、きれいな水に浸ける（続いて食器品目を取り出す）ことにより、または水流をくぐらせることにより、従来どおりに行うことができる。
【０１７２】
段階ｅ）は、従来どおりに行うことができる。この段階の間、食器は単に乾燥するまで、適切ならば、水切り板、または食器用布巾、または任意のその他の水除去および／または吸水を促進するデバイスの上に放置される。
【０１７３】
本発明の他の詳細および利点は、制限する意図を持たない以下の実施例に照らし合わせて明らかになる。
【実施例】
【０１７４】
（実施例１）
ＶＰ／ＤＡＤＭＡＣが９０ｍｏｌ％／１０ｍｏｌ％の共重合体の調製
機械的撹拌器、還流冷却器、および自動制御加熱／冷却システムによる温度調節機を備えた、ジャケット付き１リットルガラス反応器に、水２３３ｇを入れる。窒素でフラッシュしながら反応媒体の温度を７５℃にする。それから、７５℃で、２，２’−アゾビス（２−メチルプロピオンアミジン）二塩酸塩７６ｍｇを加えその後、同時開始で、６５％ＤＡＤＭＡＣ水溶液３８．５ｇを３時間かけて加え、５０％Ｎ−ビニルピロリドン水溶液３１０ｇを４時間かけて加え、２，２’−アゾビス（２−メチルプロピオンアミジン）二塩酸塩０．６８ｇを水２０ｇに混ぜたものを５時間かけて加える。加え終わった時点で、温度を６５℃に下げる。２５％２，２’−アゾビス（２−メチル−プロピオンアミジン）二塩酸塩水溶液１．２６ｇを６５℃で加える。温度を５時間６５℃に保つ。その後、反応媒体を周辺温度に冷ます。
【０１７５】
（実施例２）
手洗い用食器用液への共重合体の使用および乾燥速度の評価
評価プロトコル
課題：すすぎ水の入った洗面器から取り出したグラスの乾燥品質を評価すること。
【０１７６】
原理：評価する予定の配合物を用いて、グラスを手洗いし、すすぎ、および４０℃の水が入った洗面器に浸ける。グラスが完全に乾燥した後に残る水の痕跡の視覚化を促進する目的で、硬度の非常に高い水に浸ける。便宜のため、市販のＣｏｎｔｒｅｘ（登録商標）ミネラルウォーターを用いる。
【０１７７】
洗面器から取り出した水まみれのグラスを、計量器に設置した支持体に置く。
【０１７８】
グラスに残っている水の重量を時間の関数として得、それにより前記グラスの乾燥プロファイルを得る目的で、水が流れ落ちて行く中での、グラスの重量を記録する。
【０１７９】
装置：金属ロッド支持体（２）（頭頂部がやや傾斜している。）を、計量器（４）に設置する。
【０１８０】
巨大じょうご（３）を、反転させて、試料台に触れないようにして計量器を覆う。金属ロッドはじょうごの管を通す。
【０１８１】
グラス（１）を上下逆にして、ロッド支持体の端に掛ける。
【０１８２】
唯一の接触点はグラスの内側の底にある。ロッドの端が傾斜しているので、グラスが傾き、その結果、水の流れを１点に集めやすくなる。水はじょうご上に流れる。計量器はグラスの重量の減少を測定する。
【０１８３】
測定結果の取得は、Ｍｉｃｒｏｓｏｆｔ（登録商標）エクセルのルーチンで自動で行う（ＲＳ２３２ポートを介して計量器をコンピュータに接続する。）。通常、約２００秒間にわたり１秒あたり１回読取りを行う。
【０１８４】
装置の略図を図２に示す。
【０１８５】
手順：
実験用手袋をはめる。
きれいなグラスを用意する。
計量器で風袋を計る。
グラスをロッド支持体に掛ける。
グラスの重量を求める：「乾燥グラス」
加熱予定のＣｏｎｔｒｅｘ（登録商標）ウォーター３リットルを温度調節浴（４０℃）に入れる。
スポンジを小片に切る（一辺が約４ｃｍ）。
蛇口から４０℃の水を流す。
スポンジを濡らしてから絞る。
評価する予定の配合物をスポンジの上に付ける（１ｍｌ）。
数回スポンジを手で握って大量に泡立てる。
十分泡立ったスポンジでグラスの表面を全てこする。
湯（４０℃）ですすぐ。手袋も十分にすすぐ。
４０℃のＣｏｎｔｒｅｘ（登録商標）ウォーターに浸ける。
計量器で風袋を計る。
データ取得を開始し、同時に温度調節浴からグラスを取り出してロッドに掛ける。
計測をゆがめてはいけないので、グラスの側面はじょうごに触れてはならない。
１８０秒の時点で：
データ取得を停止する。
グラスの底および側面の水を拭き取る。
グラスなしで計量器で風袋を計る。
グラスの「最終重量」を計る。
【０１８６】
結果の説明：
乾燥グラスの重量および拭き取った水の重量（１８０秒での重量−最終重量）は記録した重量測定結果から差し引かなければならない。この理由は、グラス頂部に残る水はこの表面が実質的に水平なため流れ落ちる機会がなかったことと、グラスの下の方に残る水は通常用いられる表面（水切り板、食器用ふきんなど）にグラスを寝かせておいていた場合には流れ落ちていたからである。こうして、グラスの垂直壁に残る水の量を評価する。
【０１８７】
時間の関数としての水減少曲線を得る。
【０１８８】
（実施例２．１（比較））
グラスを市販の配合物Ｐａｌｍｏｌｉｖｅ（登録商標）で洗う
上記に記載のプロトコルに従って、グラスを市販の食器洗い用配合物Ｐａｌｍｏｌｉｖｅ（登録商標）（フランスでＣｏｌｇａｔｅ−Ｐａｌｍｏｌｉｖｅが販売）で洗う。
【０１８９】
実験の間、１５０秒を過ぎてもグラスは一様な水の膜で覆われたままであり、この膜は残留する水の蒸発によってのみ消えて行くようであることが、視覚的にわかる。
【０１９０】
上記のプロトコルに従って、グラスに残る水の重量を時間の関数として読取る。
【０１９１】
以下の乾燥プロファイルが得られる：
【０１９２】
【表１】
0005689317.tif 000003
１７０秒後、水０．２１８ｇがグラスに残っていることがわかる。この水は、非常に薄い膜の形で、どこも均一な様にして表面全体に分布している。
【０１９３】
残った水の蒸発によりグラスが完全に乾燥した後、このグラスを直接光（太陽光または電球の光）にかざして観察することにより、石灰垢（ｌｉｍｅｓｃａｌｅ）の膜が表面の大部分を覆っていることがわかる。この沈着は、Ｃｏｎｔｒｅｘ（登録商標）ウォーターの蒸発に由来する。この水は１５６フランスＴＨ度に近い硬度を有する。
【０１９４】
（実施例２．２）
本発明の共重合体を含む配合物でグラスを洗う
食器用液体配合物を以下の様にして調製する：
実施例１の共重合体０．５ｇ（乾燥重合体の重量として）を市販の配合物Ｐａｌｍｏｌｉｖｅ（登録商標）１００ｇに加える。
【０１９５】
その後、実施例２．１で行った実験を繰り返して以下の乾燥プロファイルを得る：
【０１９６】
【表２】
0005689317.tif 000004
約２０秒の初期相の間は、重合体を含む場合も含まない場合もグラスに残る水の重量は同程度であったが、その後、共重合体で修飾したグラスに残る水の重量は修飾していないグラスのものより明らかに減りはじめることがわかる。グラス表面上の水膜が均一に切れていくのが観測される。この方法はグラスの頂部から始まり、順に下がっていき、最後にゆっくりとグラスの底へ向かって広がっていき、表面に水滴をあまり残さない。
【０１９７】
４０秒後、重合体を含む配合物で洗ったグラスには、すでに、重合体なしで洗ったグラス（実施例２．１）に１７０秒後の実験終了時点で残る水よりも少ない水しか残っていない。
【０１９８】
実験終了時点で、重合体の存在下で洗ったグラスに残る水は、まったくとるに足らない量の１１ｍｇを占める。従って、このグラスは実質的に乾燥している。グラスの乾燥完了後、このグラスを直接光（太陽光または電球の光）にかざして観測すると、幾つか点が残っていることを除けば、特筆すべき透明性と石灰垢の膜の不在がわかる。
【０１９９】
図１は以下の写真を示す：
左は、実施例２．１（比較）に従って洗浄および乾燥を行ったグラスである
右は、本発明による実施例２．２に従って洗浄および乾燥を行ったグラスである。
【０２００】
右側の写真とは対照的に、左側の写真（比較）には、白色膜に重ねて視覚的によくわかる乾燥跡が多数存在することがわかる。
【０２０１】
（実施例３）
洗濯物の洗濯用洗剤への共重合体の使用と色移り防止性の評価
色落ちする（ｄｙｅ−ｄｏｎａｔｉｎｇ）生地と色が付く（ｄｙｅ−ａｃｃｅｐｔｉｎｇ）生地を含む洗濯物の山を、参照洗剤（洗剤１、比較）で、および本発明による洗剤で洗濯する。
【０２０２】
洗剤１：２００８年にフランスで市販されている洗剤、Ｘｔｒａ  Ｆｒａｉｃｈｅｕｒ  ｍｕｇｕｅｔ
洗剤２：洗剤１に、実施例１の共重合体の活性材料１重量％を加えたもの。
洗濯装置：洗濯試験機（Ｌａｕｎｄｅｒｏｍｅｔｅｒ）−５００ｍｌステンレス鋼容器
洗濯条件：水１００ｍＩ、硬度２０士２°Ｆ、温度６０℃
色落ちする生地
Ｄｉｒｅｃｔ  Ｂｌａｃｋ  ２２付き綿
Ｄｉｒｅｃｔ  Ｏｒａｎｇｅ  ３９付き綿
Ｄｉｒｅｃｔ  Ｒｅｄ  ８３．１付き綿
Ａｃｉｄ  Ｂｌｕｅ  １１３付きポリアミド
色が付く生地：綿製またはポリアミド製の標準生地の４ｃｍ×１２ｃｍ角の試料
【０２０３】
試験の進行
水＋洗剤の溶液（水１００ｍｌ＋洗剤８．３ｇ／ｌ）を４０℃で予熱する。色落ちするもの（０．３ｇ）と色が付くものを、鋼鉄球を入れずに、各容器に入れる。予熱した溶液（１００ｍｌ）を加える。洗濯装置を作動させる。温度が６０℃になったら、２０分間洗濯を行う。それから、試料をすすいで、紐にかけて周辺温度で乾燥する。
【０２０４】
評価：Ｅｌｒｅｐｈｏ  ３０００光電比色計（Ｄａｔａｃｏｌｏｒ製）を用いて、標準ＮＦ  Ｘ  ０８−０１４に従って、比色差（ＣＩＥＬＡＢシステム）を測定する。比色差をグレースケールによる尺度に変換する。
【０２０５】
結果
【０２０６】
【表３】
0005689317.tif 000005
比色差（染料の移動を表す）は洗剤２を用いると小さい。これは、共重合体が色移りを防ぐ効果を有することを示す。
【図１】
0005689317.tif 000006
【図２】
0005689317.tif 000007